(57)【要約】【課題】２画像間のクロストークを低減することができる表示装置及び電子機器を提供する。【解決手段】表示パネル１と、表示パネル１の裏面に光を照射するバックライト１０１と、画素Ｖｐｉｘ（Ｒ）、画素Ｖｐｉｘ（Ｇ）の前面に遮光材料で形成され、画素Ｖｐｉｘ（Ｒ）と画素Ｖｐｉｘ（Ｇ）との境界部に遮光材料が形成されていない開口部３３ａが設けられ、画素Ｖｐｉｘ（Ｇ）からの光を開口部３３ａを通過させて第１の方向に出射するとともに、画素Ｖｐｉｘ（Ｒ）からの光を開口部３３ａを通過させて第２の方向に出射する視差バリア３３と、を備え、バックライト１０１から出射され画素Ｖｐｉｘ（Ｒ）と画素Ｖｐｉｘ（Ｇ）との境界部に入射した光の少なくとも一部が開口部３３ａを通過することにより、第１の画像及び第２の画像を黒色の画像としたときの第１の画像の輝度を上昇させる。【選択図】図１５
2014190995.tif 000002
【特許請求の範囲】
【請求項１】
第１の方向に第１の画像を表示し、前記第１の方向と異なる第２の方向に第２の画像を表示する表示装置であって、
複数の画素がマトリクス状に配列された表示パネルと、
前記表示パネルの裏面に光を照射するバックライトと、
前記表示パネルの任意の画素を第１の画素とし、前記第１の画素及び前記第１の画素に隣接する第２の画素の前面に遮光材料で形成され、前記第１の画素と前記第２の画素との境界部に遮光材料が形成されていない開口部が設けられ、前記第１の画素からの光を前記開口部を通過させて前記第１の方向に出射するとともに、前記第２の画素からの光を前記開口部を通過させて前記第２の方向に出射する視差バリアと、
を備え、
前記バックライトから出射され前記第１の画素と前記第２の画素との境界部に入射した光の少なくとも一部が前記開口部を通過し、前記バックライトから出射され前記第１の画素と前記第１の画素に前記第２の画素と反対側に隣接する第３の画素との境界部に入射した光の少なくとも一部が前記開口部を通過し、前記バックライトから出射され前記第２の画素と前記第２の画素に前記第１の画素と反対側に隣接する第４の画素との境界部に入射した光の少なくとも一部が前記開口部を通過することにより、前記第１の画像及び前記第２の画像を黒色の画像としたときの前記第１の画像の輝度を上昇させて、下記関係式（１）を満たす、
表示装置。
（Ｂ−Ａ）／Ａ≦１  ・・・式（１）
ただし、
Ａ：前記第１の画像及び前記第２の画像を黒色の画像としたときの前記第１の画像の輝度
Ｂ：前記第１の画像を黒色の画像とし、前記第２の画像を白色の画像としたときの、前記第１の画像の輝度
【請求項２】
前記第１の画素及び前記第２の画素と前記視差バリアとの間の層に前記第１の画素及び前記第２の画素にまたがるように遮光材料で形成された第１のブラックマトリクスと、
前記第１の画素及び前記第３の画素と前記視差バリアとの間の層に前記第１の画素及び前記第３の画素にまたがるように遮光材料で形成された第２のブラックマトリクスと、
前記第２の画素及び前記第４の画素と前記視差バリアとの間の層に前記第２の画素及び前記第４の画素にまたがるように遮光材料で形成された第３のブラックマトリクスと、
を備え、
前記第１のブラックマトリクスは、遮光材料が形成されていない開口部であって、前記バックライトから出射され前記第１の画素と前記第２の画素との境界部に入射した光の少なくとも一部を通過させる第２の開口部が設けられ、
前記第２のブラックマトリクスは、遮光材料が形成されていない開口部であって、前記バックライトから出射され前記第１の画素と前記第３の画素との境界部に入射した光の少なくとも一部を通過させる第３の開口部が設けられ、
前記第３のブラックマトリクスは、遮光材料が形成されていない開口部であって、前記バックライトから出射され前記第２の画素と前記第４の画素との境界部に入射した光の少なくとも一部を通過させる第４の開口部が設けられている、
請求項１記載の表示装置。
【請求項３】
前記第２の開口部は、前記第１の画素及び前記第２の画素の辺方向に沿って複数設けられており、
前記第３の開口部は、前記第１の画素及び前記第３の画素の辺方向に沿って複数設けられており、
前記第４の開口部は、前記第２の画素及び前記第４の画素の辺方向に沿って複数設けられている、
請求項２記載の表示装置。
【請求項４】
前記第１の画素及び前記第２の画素と前記視差バリアとの間の層に前記第１の画素及び前記第２の画素にまたがるように形成された第１のブラックマトリクスと、
前記第１の画素及び前記第１の画素に前記第２の画素と反対側に隣接する第３の画素と前記視差バリアとの間の層に前記第１の画素及び前記第３の画素にまたがるように形成された第２のブラックマトリクスと、
前記第２の画素及び前記第２の画素に前記第１の画素と反対側に隣接する第４の画素と前記視差バリアとの間の層に前記第２の画素及び前記第４の画素にまたがるように形成された第３のブラックマトリクスと、
を備え、
前記第１のブラックマトリクスは、前記バックライトから出射され前記第１の画素と前記第２の画素との境界部に入射した光の一部を通過させる材料で形成されており、
前記第２のブラックマトリクスは、前記バックライトから出射され前記第１の画素と前記第３の画素との境界部に入射した光の一部を通過させる材料で形成されており、
前記第３のブラックマトリクスは、前記バックライトから出射され前記第２の画素と前記第４の画素との境界部に入射した光の一部を通過させる材料で形成されている、
請求項１記載の表示装置。
【請求項５】
前記第１の画素及び前記第２の画素は、前記第１の画素と前記第２の画素との境界部の少なくとも一部にカラーフィルタが形成されておらず、
前記第１の画素及び前記第３の画素は、前記第１の画素と前記第３の画素との境界部の少なくとも一部にカラーフィルタが形成されておらず、
前記第２の画素及び前記第４の画素は、前記第２の画素と前記第４の画素との境界部の少なくとも一部にカラーフィルタが形成されていない、
請求項２乃至４のいずれか１項に記載の表示装置。
【請求項６】
前記表示パネルは、電圧が印加されていないときに黒色を表示するノーマリーブラック液晶表示パネルである、
請求項１記載の表示装置。
【請求項７】
前記第１の画素及び前記第２の画素は、前記第１の画素と前記第２の画素との境界部の少なくとも一部にカラーフィルタが形成されておらず、
前記第１の画素及び前記第３の画素は、前記第１の画素と前記第３の画素との境界部の少なくとも一部にカラーフィルタが形成されておらず、
前記第２の画素及び前記第４の画素は、前記第２の画素と前記第４の画素との境界部の少なくとも一部にカラーフィルタが形成されていない、
請求項６に記載の表示装置。
【請求項８】
第１の方向に第１の画像を表示し、前記第１の方向と異なる第２の方向に第２の画像を表示する表示装置と、
前記表示装置に入力信号を供給する制御装置と、を有し、
前記表示装置は、
複数の画素がマトリクス状に配列された表示パネルと、
前記表示パネルの裏面に光を照射するバックライトと、
前記表示パネルの任意の画素を第１の画素とし、前記第１の画素及び前記第１の画素に隣接する第２の画素の前面に遮光材料で形成され、前記第１の画素と前記第２の画素との境界部に遮光材料が形成されていない開口部が設けられ、前記第１の画素からの光を前記開口部を通過させて前記第１の方向に出射するとともに、前記第２の画素からの光を前記開口部を通過させて前記第２の方向に出射する視差バリアと、
を備え、
前記バックライトから出射され前記第１の画素と前記第２の画素との境界部に入射した光の少なくとも一部が前記開口部を通過し、前記バックライトから出射され前記第１の画素と前記第１の画素に前記第２の画素と反対側に隣接する第３の画素との境界部に入射した光の少なくとも一部が前記開口部を通過し、前記バックライトから出射され前記第２の画素と前記第２の画素に前記第１の画素と反対側に隣接する第４の画素との境界部に入射した光の少なくとも一部が前記開口部を通過することにより、前記第１の画像及び前記第２の画像を黒色の画像としたときの前記第１の画像の輝度を上昇させて、下記関係式（１）を満たす、
電子機器。
（Ｂ−Ａ）／Ａ≦１  ・・・式（１）
ただし、
Ａ：前記第１の画像及び前記第２の画像を黒色の画像としたときの前記第１の画像の輝度
Ｂ：前記第１の画像を黒色の画像とし、前記第２の画像を白色の画像としたときの、前記第１の画像の輝度
【発明の詳細な説明】
【技術分野】
【０００１】
本技術は、表示装置に関する。また、本技術は、表示装置を備えた電子機器に関する。
【背景技術】
【０００２】
近年、車両のカーナビゲーション装置などにおいては、単一の画面で複数の利用者に対して異なった画像を表示するマルチビュー表示装置が用いられるようになってきている。このようなマルチビュー表示装置によれば、例えば、車両の運転者に対して地図画像を表示するとともに、同乗者に対してテレビジョン画像を表示することができる。
【０００３】
関連する技術として、下記の特許文献１には、第１の画像及び第２の画像の表示の輝度を確保しながら、正面方向における混在領域の範囲を狭くすることが可能な電気光学装置が記載されている。
【先行技術文献】
【特許文献】
【０００４】
【特許文献１】特開２００８−６４９１７号公報
【発明の概要】
【発明が解決しようとする課題】
【０００５】
マルチビュー表示装置では、第１の画像と第２の画像とが干渉し合うクロストークが発生する。特に、第１の画像及び第２の画像のコントラストが高くなると、クロストークが増大する。
【０００６】
本技術はかかる問題点に鑑みてなされたもので、その目的は、画像間のクロストークを低減することができる表示装置及び表示装置を備えた電子機器を提供することにある。
【課題を解決するための手段】
【０００７】
本開示による表示装置は、第１の方向に第１の画像を表示し、前記第１の方向と異なる第２の方向に第２の画像を表示する表示装置であって、複数の画素がマトリクス状に配列された表示パネルと、前記表示パネルの裏面に光を照射するバックライトと、前記表示パネルの任意の画素を第１の画素とし、前記第１の画素及び前記第１の画素に隣接する第２の画素の前面に遮光材料で形成され、前記第１の画素と前記第２の画素との境界部に遮光材料が形成されていない開口部が設けられ、前記第１の画素からの光を前記開口部を通過させて前記第１の方向に出射するとともに、前記第２の画素からの光を前記開口部を通過させて前記第２の方向に出射する視差バリアと、を備え、前記バックライトから出射され前記第１の画素と前記第２の画素との境界部に入射した光の少なくとも一部が前記開口部を通過し、前記バックライトから出射され前記第１の画素と前記第１の画素に前記第２の画素と反対側に隣接する第３の画素との境界部に入射した光の少なくとも一部が前記開口部を通過し、前記バックライトから出射され前記第２の画素と前記第２の画素に前記第１の画素と反対側に隣接する第４の画素との境界部に入射した光の少なくとも一部が前記開口部を通過することにより、前記第１の画像及び前記第２の画像を黒色の画像としたときの前記第１の画像の輝度を上昇させて、下記関係式（１）を満たす。
（Ｂ−Ａ）／Ａ≦１  ・・・式（１）
ただし、
Ａ：前記第１の画像及び前記第２の画像を黒色の画像としたときの前記第１の画像の輝度
Ｂ：前記第１の画像を黒色の画像とし、前記第２の画像を白色の画像としたときの、前記第１の画像の輝度
【０００８】
本開示による電子機器は、上記表示装置と、前記表示装置に入力信号を供給する制御装置と、を有する。
【０００９】
本開示による表示装置及び電子機器では、画像間のクロストークを低減することができる。
【発明の効果】
【００１０】
本開示による表示装置及び電子機器によれば、画像間のクロストークを低減することができる。
【図面の簡単な説明】
【００１１】
【図１】図１は、本発明に係る表示装置の概念図である。
【図２】図２は、表示装置の車両への搭載例を示す図である。
【図３】図３は、表示装置の断面構造の概略図である。
【図４】図４は、液晶表示パネルの構成例を表すブロック図である。
【図５】図５は、本実施形態の表示パネルの画素を駆動する駆動回路を示す回路図である。
【図６】図６は、表示パネルの断面図である。
【図７】図７は、表示パネルの平面図である。
【図８】図８は、図７の表示パネルの視差バリアを省略した平面図である。
【図９】図９は、２つの画像間のクロストークの測定を説明する図である。
【図１０】図１０は、２つの画像間のクロストークの測定を説明する図である。
【図１１】図１１は、表示パネルの回折光の経路を示す図である。
【図１２】図１２は、回折光のシミュレーション結果のグラフを示す図である。
【図１３】図１３は、図１２の原点近傍の領域の拡大図である。
【図１４】図１４は、比較例の表示パネルの断面図である。
【図１５】図１５は、本発明の表示パネルの断面図である。
【図１６】図１６は、比較例の黒輝度と本発明の黒輝度とのグラフを示す図である。
【図１７】図１７は、比較例のクロストークと本発明のクロストークとのグラフを示す図である。
【図１８】図１８は、実施形態１に係る表示パネルの断面図である。
【図１９】図１９は、実施形態１の表示パネルの平面図である。
【図２０】図２０は、ブラックマトリクスに開口部を設けない場合とブラックマトリクスに開口部を設けた場合とのクロストークのシミュレーション結果を示すグラフである。
【図２１】図２１は、実施形態１の変形例１の表示パネルを示す断面図である。
【図２２】図２２は、実施形態１の変形例２の表示パネルを示す断面図である。
【図２３】図２３は、実施形態２に係る表示パネルの断面図である。
【図２４】図２４は、実施形態２の表示パネルの平面図である。
【図２５】図２５は、実施形態２の変形例の表示パネルを示す断面図である。
【図２６】図２６は、本実施形態に係るタッチ検出機能付き表示装置を適用する電子機器の一例を示す図である。
【図２７】図２７は、本実施形態に係る表示装置を適用する電子機器の一例を示す図である。
【図２８】図２８は、本実施形態に係る表示装置を適用する電子機器の一例を示す図である。
【図２９】図２９は、本実施形態に係る表示装置を適用する電子機器の一例を示す図である。
【図３０】図３０は、本実施形態に係る表示装置を適用する電子機器の一例を示す図である。
【図３１】図３１は、本実施形態に係る表示装置を適用する電子機器の一例を示す図である。
【図３２】図３２は、本実施形態に係る表示装置を適用する電子機器の一例を示す図である。
【図３３】図３３は、本実施形態に係る表示装置を適用する電子機器の一例を示す図である。
【図３４】図３４は、本実施形態に係る表示装置を適用する電子機器の一例を示す図である。
【図３５】図３５は、本実施形態に係る表示装置を適用する電子機器の一例を示す図である。
【図３６】図３６は、本実施形態に係る表示装置を適用する電子機器の一例を示す図である。
【図３７】図３７は、本実施形態に係る表示装置を適用する電子機器の一例を示す図である。
【図３８】図３８は、本実施形態に係る表示装置を適用する電子機器の一例を示す図である。
【発明を実施するための形態】
【００１２】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．表示装置の概要
２．実施形態１
３．実施形態２
４．適用例（電子機器）
上記実施の形態に係る表示装置が電子機器に適用されている例
５．本開示の構成
【００１３】
＜１．表示装置の概要＞
（２画像表示装置の基本構成）
図１は、本発明に係る表示装置の概念図である。表示装置１００は、第１の方向（表示装置１００に向かって右方向）に第１の画像２０１を、第１の方向とは異なる第２の方向（表示装置１００に向かって左方向）に第２の画像２０２を、それぞれ表示する。表示装置１００の第１の方向側に位置する第１の観察者２１１は第１の画像２０１を、表示装置１００の第２の方向側に位置する第２の観察者２１２は第２の画像２０２を、それぞれ見ることができる。図１の概念図は、表示装置１００に対する第１の観察者２１１及び第２の観察者２１２の相対的位置に応じて、換言すれば表示装置１００に対する視野角に応じて、第１の観察者２１１は第１の画像２０１を、第２の観察者２１２は第２の画像２０２を実質的に同時に見ることができ、しかも第１の画像２０１及び第２の画像２０２は表示装置１００の表示面全体に渡って見ることができることを概念的に示している。
【００１４】
図２は、表示装置の車両への搭載例を示す図である。表示装置１００は、例えば図２に示すように、ダッシュボード３００のセンター部分に配置される。運転席３１１には第１の観察者２１１が、助手席３１２には第２の観察者２１２が着座する。表示装置１００に対する第１の方向（表示装置１００に向かって右方向であり、運転席３１１側）から見ることができる画像は例えばカーナビゲーション装置の地図等の画像であり、実質的に同時に第２の方向（表示装置１００に向かって左方向であり、助手席３１２側）から見ることができる画像は例えばテレビ受信画像やＤＶＤムービー画像である。従って、運転席３１１に着座した第１の観察者２１１（運転者）がカーナビゲーションによる運転支援を受けるのと同時に助手席３１２に着座した第２の観察者２１２（同乗者）はテレビやＤＶＤを楽しむことができる。しかも、それぞれの画像は例えば７インチの画面全体を使用して表示されるので、従来のマルチウインドウ表示のように画面サイズが小さくなることもない。つまり、第１の観察者２１１（運転者）、第２の観察者２１２（同乗者）にとっては、あたかも各々に独立した専用のディスプレイがあるかの如く、それぞれに最適な情報やコンテンツが提供される。
【００１５】
図３は、表示装置の断面構造の概略図である。表示装置１００は、表示パネル１と、表示パネル１を裏面（図中上側の面）から照射するバックライト１０１と、表示パネル１の裏面に設けられた偏光板１０２と、表示パネル１の前面（図中下側の面）に設けられたガラス基板１０３と、ガラス基板１０３の前面に設けられた偏光板１０４と、を有する。表示パネル１は、薄膜トランジスタ（ＴＦＴ：Thin  Film  Transistor）基板２と、ＴＦＴ基板２の前面側に対向する対向基板３と、ＴＦＴ基板２と対向基板３との間に挿設された液晶６と、を有する。
【００１６】
対向基板３は、ガラス基板３１と、ガラス基板３１の裏面（ＴＦＴ基板２側の面）に形成されたカラーフィルタ３２と、ガラス基板３１の前面（ＴＦＴ基板２とは反対側の面）に形成された視差バリア３３と、を有する。なお、視差バリア３３は、ガラス基板１０３の裏面に形成されても良い。
【００１７】
表示パネル１は、マトリクス状に配列された画素を有している。カラーフィルタ３２は、例えば赤（Ｒ）、緑（Ｇ）、青（Ｂ）の３色に着色された色領域を周期的に配列して、表示パネル１の各画素にＲ、Ｇ、Ｂの３色の色領域が規則的に対応付けられている。なお、カラーフィルタ３２は、異なる色に着色されていれば、他の色の組み合わせであってもよい。一般に、カラーフィルタは、緑（Ｇ）の色領域の輝度が、赤（Ｒ）の色領域及び青（Ｂ）の色領域の輝度よりも高い。
【００１８】
表示パネル１の各画素は、第１の方向側（運転者２１１側）表示用と、第２の方向側（同乗者２１２側）表示用と、に分けられて表示制御される。そして、第１の方向側（運転者２１１側）表示用画素は、視差バリア３３により第２の方向側（同乗者２１２側）への表示が遮断され、第１の方向側（運転者２１１側）からは見えるようになっている。また、第２の方向側（同乗者２１２側）表示用画素は、視差バリア３３により第１の方向側（運転者２１１側）への表示は遮断され、第２の方向側（同乗者２１２側）からは見えるようになっている。これによって、表示装置１００は、例えば運転者２１１と同乗者２１２とに異なった表示を提供することが可能となる。つまり、表示装置１００は、運転者２１１にはナビゲーションの地図画像２０１を見せ、同時に同乗者２１２にはテレビ画像２０２を見せることが可能となる。なお、視差バリア３３、表示パネル１の各画素の構成を変更すれば、３方向等、複数方向に異なった画像を表示する構成も可能である。また、視差バリア３３自体を電気的に駆動可能な液晶シャッタ等で構成して視野角を可変するようにしてもよい。
【００１９】
図４は、液晶表示パネルの構成例を表すブロック図である。表示パネル１は、透過型、又は半透過型の液晶表示パネルであり、液晶表示パネル１９と、ドライバＩＣ２６と、を備えている。図示しないフレキシブルプリント基板（ＦＰＣ：Flexible  Printed  Circuits）は、ドライバＩＣ２６への外部信号又はドライバＩＣ２６を駆動する駆動電力を伝送する。液晶表示パネル１９は、透光性絶縁基板、例えばガラス基板２０と、ガラス基板２０の表面にあり、液晶セルを含む画素がマトリクス状（行列状）に多数配置されてなる表示エリア部２１と、垂直ドライバ（垂直駆動回路）２２と、水平ドライバ（水平駆動回路）２３と、を備えている。ガラス基板２０は、能動素子（例えば、トランジスタ）を含む多数の画素回路がマトリクス状に配置形成される第１の基板（ＴＦＴ基板）２（図３参照）と、このＴＦＴ基板２と所定の間隙をもって対向して配置される第２の基板（対向基板）３（図３参照）とによって構成される。ＴＦＴ基板２と対向基板３との間隙は、ＴＦＴ基板２上の各所に配置形成されるフォトスペーサによって所定の間隙に保持される。そして、これらＴＦＴ基板２と対向基板３との間に液晶６（図３参照）が封入される。
【００２０】
（液晶表示パネルのシステム構成例）
液晶表示パネル１９は、ガラス基板２０上に、表示エリア部２１と、インターフェース（Ｉ／Ｆ）及びタイミングジェネレータの機能を備えるドライバＩＣ２６と、垂直ドライバ２２及び水平ドライバ２３と、を備えている。
【００２１】
表示エリア部２１は、液晶層を含む画素Ｖｐｉｘが、表示上の１画素を構成するユニットがＭ行×Ｎ列に配置されたマトリクス（行列状）構造を有している。なお、この明細書において、行とは、一方向に配列されるＮ個の画素Ｖｐｉｘを有する画素行をいう。また、列とは、行が配列される方向と直交する方向に配列されるＭ個の画素Ｖｐｉｘを有する画素列をいう。そして、ＭとＮとの値は、垂直方向の表示解像度と水平方向の表示解像度に応じて定まる。表示エリア部２１は、画素ＶｐｉｘのＭ行Ｎ列の配列に対して行ごとに走査線２４１、２４２、２４３・・・２４Ｍが配線され、列ごとに信号線２５１、２５２、２５３・・・２５Ｎが配線されている。以後、本実施形態においては、走査線２４１、２４２、２４３・・・２４Ｍを代表して走査線２４のように表記し、信号線２５１、２５２、２５３・・・２５Ｎを代表して信号線２５のように表記することがある。また、本実施形態においては、走査線２４１、２４２、２４３・・・２４Ｍの任意の３本の走査線を走査線２４ｍ、２４ｍ＋１、２４ｍ＋２(ただし、ｍはｍ≦Ｍ−２を満たす自然数)のように表記し、信号線２５１、２５２、２５３・・・２５Ｎの任意の３本の信号線を信号線２５ｎ、２５ｎ＋１、２５ｎ＋２(ただし、ｎはｎ≦Ｎ−２を満たす自然数)のように表記する。
【００２２】
表示パネル１には、外部から外部信号である、マスタークロック、水平同期信号及び垂直同期信号が入力され、ドライバＩＣ２６に与えられる。ドライバＩＣ２６は、外部電源の電圧振幅のマスタークロック、水平同期信号及び垂直同期信号を、液晶の駆動に必要な内部電源の電圧振幅にレベル変換し、マスタークロック、水平同期信号及び垂直同期信号を生成する。ドライバＩＣ２６は、生成したマスタークロック、水平同期信号及び垂直同期信号をそれぞれ垂直ドライバ２２及び水平ドライバ２３に与える。ドライバＩＣ２６は、画素Ｖｐｉｘ毎の駆動電極に対して各画素共通に与えるコモン電位（対向電極電位）を生成して表示エリア部２１に与える。
【００２３】
垂直ドライバ２２は、垂直クロックパルスに同期してドライバＩＣ２６から出力される表示データを１水平期間で順次サンプリングしラッチする。垂直ドライバ２２は、ラッチされた１ライン分のデジタルデータを垂直走査パルスとして順に出力し、表示エリア部２１の走査線２４ｍ、２４ｍ＋１、２４ｍ＋２・・・に与えることによって画素Ｖｐｉｘを行単位で順次選択する。垂直ドライバ２２は、例えば、走査線２４ｍ、２４ｍ＋１、２４ｍ＋２・・・の表示エリア部２１の上寄り、垂直走査上方向から、表示エリア部２１の下寄り、垂直走査下方向へ順にデジタルデータを出力する。また、垂直ドライバ２２は、走査線２４ｍ、２４ｍ＋１、２４ｍ＋２・・・の表示エリア部２１の下寄り、垂直走査下方向から、表示エリア部２１の上寄り、垂直走査上方向へ順にデジタルデータを出力することもできる。
【００２４】
水平ドライバ２３には、例えば６ビットのＲ（赤）、Ｇ（緑）、Ｂ（青）のデジタル映像データが与えられる。水平ドライバ２３は、垂直ドライバ２２による垂直走査によって選択された行の各画素Ｖｐｉｘに対して、画素ごとに、もしくは複数画素ごとに、あるいは全画素一斉に、信号線２５を介して表示データを書き込む。
【００２５】
表示パネル１は、液晶に同極性の直流電圧が印加され続けることによって液晶の比抵抗（物質固有の抵抗値）等が劣化する可能性がある。表示パネル１は、液晶の比抵抗（物質固有の抵抗値）等の劣化を防ぐため、駆動信号のコモン電位を基準として映像信号の極性を所定の周期で反転させる駆動方式が採られる。
【００２６】
この表示パネルの駆動方式として、ライン反転、ドット反転、フレーム反転などの駆動方式が知られている。ライン反転は、１ライン（１画素行）に相当する１Ｈ（Ｈは水平期間）の時間周期で映像信号の極性を反転させる駆動方式である。ドット反転は、互いに隣接する上下左右の画素毎に映像信号の極性を交互に反転させる駆動方式である。フレーム反転は、１画面に相当する１フレーム毎に全画素に書き込む映像信号を一度に同じ極性で反転させる駆動方式である。表示装置１は、上記の各駆動方式のいずれを採用することも可能である。
【００２７】
図５は、本実施形態の表示パネルの画素を駆動する駆動回路を示す回路図である。表示エリア部２１には、各画素ＶｐｉｘのＴＦＴ素子Ｔｒに表示データとして画素信号を供給する信号線２５ｎ、２５ｎ＋１、２５ｎ＋２、各ＴＦＴ素子Ｔｒを駆動する走査線２４ｍ、２４ｍ＋１、２４ｍ＋２等の配線が形成されている。信号線２５ｎ、２５ｎ＋１、２５ｎ＋２は、上述したガラス基板２０の表面と平行な平面に延在する。画素Ｖｐｉｘは、ＴＦＴ素子Ｔｒ及び液晶ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線２５ｎ、２５ｎ＋１、２５ｎ＋２に接続され、ゲートは走査線２４ｍ、２４ｍ＋１、２４ｍ＋２に接続され、ソース又はドレインの他方は不図示の画素電極に接続されている。液晶ＬＣは、画素電極と共通電極ＶＣＯＭによって生ずる電界により、電界に沿った方向に整列する。
【００２８】
画素Ｖｐｉｘは、走査線２４ｍ、２４ｍ＋１、２４ｍ＋２により、表示エリア部２１の同じ行に属する他の画素Ｖｐｉｘと互いに接続されている。走査線２４ｍ、２４ｍ＋１、２４ｍ＋２は、垂直ドライバ２２と接続され、垂直ドライバ２２から走査信号の垂直走査パルスが供給される。また、画素Ｖｐｉｘは、信号線２５ｎ、２５ｎ＋１、２５ｎ＋２により、表示エリア部２１の同じ列に属する他の画素Ｖｐｉｘと互いに接続されている。信号線２５ｎ、２５ｎ＋１、２５ｎ＋２は、水平ドライバ２３と接続され、水平ドライバ２３より画素信号が供給される。共通電極ＶＣＯＭは、図４のドライバＩＣ２６と接続され、ドライバＩＣ２６から駆動信号が供給される。
【００２９】
図４に示す垂直ドライバ２２は、垂直走査パルスを、図５に示す走査線２４ｍ、２４ｍ＋１、２４ｍ＋２を介して、画素ＶｐｉｘのＴＦＴ素子Ｔｒのゲートに印加することにより、表示エリア部２１にマトリクス状に形成されている画素Ｖｐｉｘのうちの１行（１水平ライン）を表示駆動の対象として順次選択する。図４に示す水平ドライバ２３は、画素信号を、図５に示す信号線２５ｎ、２５ｎ＋１、２５ｎ＋２を介して、垂直ドライバ２２により順次選択される１水平ラインを含む各画素Ｖｐｉｘにそれぞれ供給する。そして、これらの画素Ｖｐｉｘでは、供給される画素信号を選択期間に画素Ｖｐｉｘ内に保持し、選択期間以外の期間も次のフレームまで表示する。
【００３０】
上述したように、表示パネル１は、垂直ドライバ２２が走査線２４ｍ、２４ｍ＋１、２４ｍ＋２を順次走査するように駆動することにより、１水平ラインが順次選択される。また、表示装置１は、１水平ラインに属する画素Ｖｐｉｘに対して、水平ドライバ２３が画素信号を供給することにより、１水平ラインずつ表示が行われる。
【００３１】
また、表示エリア部２１は、カラーフィルタを有する。カラーフィルタは、格子形状のブラックマトリクス７６ａと、画素Ｖｐｉｘに対応する開口部７６ｂと、を有する。開口部７６ｂは、例えば、赤（Ｒ）、緑（Ｇ）、青（Ｂ）の３色に着色された色領域を含む。なお、カラーフィルタは、異なる色に着色されていれば、他の色の組み合わせであってもよい。一般に、カラーフィルタは、緑（Ｇ）の色領域の輝度が、赤（Ｒ）の色領域及び青（Ｂ）の色領域の輝度よりも高い。カラーフィルタは、無くてもよく、この場合白色となる。あるいは、カラーフィルタに光透過性の樹脂を用いて白色としてもよい。
【００３２】
ブラックマトリクス７６ａは、図５に示すように画素Ｖｐｉｘの外周を覆うように形成されている。つまり、ブラックマトリクス７６ａは、二次元配置された画素Ｖｐｉｘと画素Ｖｐｉｘとの境界に配置されることで、格子形状となる。これにより、各画素Ｖｐｉｘの隙間から光が漏れるのを防ぎ、コントラストの低下を抑制することができる。ブラックマトリクス７６ａは、光の吸収率が高い材料、例えば、金属クロム（Ｃｒ)、酸化クロム(ＣｒＯ２)、樹脂等で形成されている。このように、ブラックマトリクス７６ａは、光の透過を抑制する遮光層である。開口部７６ｂは、ブラックマトリクス７６ａの格子形状で形成されている開口であり、画素Ｖｐｉｘに対応して配置されている。
【００３３】
開口部７６ｂは、例えば、赤（Ｒ）、緑（Ｇ）、青（Ｂ）の３色に着色された色領域を含む。カラーフィルタは、開口部７６ｂに例えば赤（Ｒ）、緑（Ｇ）、青（Ｂ）の３色に着色されたカラーフィルタの色領域を周期的に配列して、図５に示す各画素ＶｐｉｘにＲ、Ｇ、Ｂの３色の色領域が規則的に対応付けられている。
【００３４】
表示エリア部２１は、正面に直交する方向から見た場合、走査線２４と信号線２５がカラーフィルタのブラックマトリクス７６ａと重なる領域に配置されている。つまり、走査線２４及び信号線２５は、正面に直交する方向から見た場合、ブラックマトリクス７６ａの後ろに隠されることになる。また、表示エリア部２１は、ブラックマトリクス７６ａが配置されていない領域が開口部７６ｂとなる。
【００３５】
図６は、表示パネルの断面図である。図６は、表示パネル１の隣接する２つの画素を示している。図６中左側には、赤（Ｒ）の画素Ｖｐｉｘ（Ｒ）が、図６中右側には、緑（Ｇ）の画素Ｖｐｉｘ（Ｇ）が位置しており、画素Ｖｐｉｘ（Ｒ）と画素Ｖｐｉｘ（Ｇ）とは隣接している。画素Ｖｐｉｘ（Ｒ）及び画素Ｖｐｉｘ（Ｇ）は、ＴＦＴ基板２の前面（対向基板３側の面）に画素電極２７を有している。
【００３６】
液晶６は、画素電極２７と共通電極ＶＣＯＭ（図５参照）との間の電界の状態に応じてそこを通過する光を変調するものであり、例えば、ＴＮ（Twisted  Nematic：ツイステッドネマティック）、ＶＡ（Vertical  Alignment：垂直配向）、ＥＣＢ（Electrically  Controlled  Birefringence：電界制御複屈折）、ＦＦＳ（Fringe  Field  Switching）、ＩＰＳ（In  Plane  Switching）等の各種モードの液晶が用いられる。
【００３７】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【００３８】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。ガラス基板３１の裏面であって画素Ｖｐｉｘ（Ｇ）の右端部分には、遮光層としてブラックマトリクス７６ａ１が形成されている。ガラス基板３１の裏面であって画素Ｖｐｉｘ（Ｒ）と画素Ｖｐｉｘ（Ｇ）とにまたがる部分には、遮光層としてブラックマトリクス７６ａ２が形成されている。ガラス基板３１の裏面であって画素Ｖｐｉｘ（Ｒ）の左端部分には、遮光層としてブラックマトリクス７６ａ３が形成されている。ブラックマトリクス７６ａ１とブラックマトリクス７６ａ２との間は、遮光層が形成されていない開口部７６ｂ１となっている。ブラックマトリクス７６ａ２とブラックマトリクス７６ａ３との間は、遮光層が形成されていない開口部７６ｂ２となっている。バックライト１０１から表示パネル１に入射した光は、開口部７６ｂ１及び開口部７６ｂ２を通過することができる。
【００３９】
ガラス基板３１の前面（ＴＦＴ基板２と反対側の面）であって画素Ｖｐｉｘ（Ｇ）の中央から右端にかけては、遮光層として視差バリア３３１が形成されている。ガラス基板３１の前面であって画素Ｖｐｉｘ（Ｒ）の中央から左端にかけては、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。なお、視差バリア３３１及び３３２は、ブラックマトリクス７６ａ１、７６ａ２及び７６ａ３と同じ材質であっても良いし、異なっても良い。ガラス基板３１の前面であって画素Ｖｐｉｘ（Ｒ）と画素Ｖｐｉｘ（Ｇ）とにまたがる部分は、遮光層が形成されていない開口部３３ａとなっている。
【００４０】
画素Ｖｐｉｘ（Ｇ）の開口部７６ｂ１を通過した光は、矢印２１１ａの方向に沿って開口部３３ａを通過し、観察者２１１に到達する。なお、画素Ｖｐｉｘ（Ｇ）の開口部７６ｂ１を通過した光は、視差バリア３３１に遮光されるので、後述する回折光を除けば、観察者２１２に到達しない。また、画素Ｖｐｉｘ（Ｒ）の開口部７６ｂ２を通過した光は、矢印２１２ａの方向に沿って開口部３３ａを通過し、観察者２１２に到達する。なお、画素Ｖｐｉｘ（Ｒ）の開口部７６ｂ２を通過した光は、視差バリア３３２に遮光されるので、後述する回折光を除けば、観察者２１１に到達しない。これにより、表示パネル１は、観察者２１１と観察者２１２とに、別々の画像を見せることができる。
【００４１】
図７は、表示パネルの平面図である。表示パネル１は、長手方向が図中上下方向にそれぞれ延在するとともに、図中左右方向に隣接する画素Ｖｐｉｘ（Ｇ１）、Ｖｐｉｘ（Ｂ１）、Ｖｐｉｘ（Ｒ１）、Ｖｐｉｘ（Ｇ２）、Ｖｐｉｘ（Ｂ２）及びＶｐｉｘ（Ｒ２）を有している。表示パネル１の上層（紙面手前側）には、視差バリア３３が形成されている。画素Ｖｐｉｘ（Ｇ１）とＶｐｉｘ（Ｂ１）とにまたがる部分には、遮光層が形成されていない開口部３３ａ１が設けられている。画素Ｖｐｉｘ（Ｒ１）とＶｐｉｘ（Ｇ２）とにまたがる部分には、遮光層が形成されていない開口部３３ａ２が設けられている。画素Ｖｐｉｘ（Ｂ２）とＶｐｉｘ（Ｒ２）とにまたがる部分には、遮光層が形成されていない開口部３３ａ３が設けられている。
【００４２】
図８は、図７の表示パネルの視差バリアを省略した平面図である。表示パネル１は、長手方向が図中上下方向にそれぞれ延在するとともに、図中左右方向に隣接する画素Ｖｐｉｘ（Ｇ１）、Ｖｐｉｘ（Ｂ１）、Ｖｐｉｘ（Ｒ１）、Ｖｐｉｘ（Ｇ２）、Ｖｐｉｘ（Ｂ２）及びＶｐｉｘ（Ｒ２）を有している。ブラックマトリクス７６ａは、図８に示すように画素Ｖｐｉｘ（Ｇ１）、Ｖｐｉｘ（Ｂ１）、Ｖｐｉｘ（Ｒ１）、Ｖｐｉｘ（Ｇ２）、Ｖｐｉｘ（Ｂ２）及びＶｐｉｘ（Ｒ２）の外周を覆うように形成されている。つまり、ブラックマトリクス７６ａは、二次元配置された画素Ｖｐｉｘと画素Ｖｐｉｘとの境界に配置されることで、格子形状となっている。
【００４３】
（２画像間のクロストーク）
第１の画像２０１と第２の画像２０２とは、互いに干渉しないことが理想であるが、実際には、干渉が生ずる。図９及び図１０は、２つの画像間のクロストークの測定を説明する図である。まず、図９に示すように、第１の画像２０１及び第２の画像２０２として、全面黒色の画像を表示する。このときの第１の画像２０１の輝度（以下、黒輝度とも言う。）を測定し、黒輝度をＡとする。
【００４４】
次に、図１０に示すように、第２の画像２０２として、全面白色の画像を表示する。すると、第１の画像２０１は、第２の画像２０２のクロストークにより、輝度が高くなる（明るい黒になる）。このときの第１の画像２０１の輝度を測定し、輝度をＢとする。
【００４５】
このとき、第１の画像２０１と第２の画像２０２との間のクロストークＸを次の式（１）で表す。
Ｘ＝（Ｂ−Ａ）／Ａ  ・・・（１）
【００４６】
式（１）は、第２の画像２０２から第１の画像２０１に漏れる光による輝度上昇量（Ｂ−Ａ）が、元の黒輝度（Ａ）に対してどの程度の重みであるか、という意味合いを示している。
【００４７】
第１の画像２０１と第２の画像２０２とが分離して表示されるには、式（１）のクロストークＸが１以下であることが望ましい。
【００４８】
クロストークの原因である一方の画像から他方の画像への光漏れは、回折光が主要因であると考えられる。
【００４９】
図１１は、表示パネルの回折光の経路を示す図である。画素Ｖｐｉｘ（Ｒ）で黒表示（低輝度表示）し、画素Ｖｐｉｘ（Ｇ）で白表示（高輝度表示）しているとき、画素Ｖｐｉｘ（Ｇ）の開口部７６ｂ１を通過した光の大部分は、矢印２１１ａの方向に沿って開口部３３ａを通過し、観察者２１１に到達する。しかし、画素Ｖｐｉｘ（Ｇ）の開口部７６ｂ１を通過した光の一部は、開口部３３ａ境界で回折し、矢印Ｌ１の方向に沿って観察者２１２に到達すると考えられる。
【００５０】
図１２は、回折光のシミュレーション結果のグラフを示す図である。図１２において、横軸は、表示パネル１の法線方向を０°とした表示パネル１からの角度を示す。表示パネル１からの角度は、反時計回り（観察者２１１側）をマイナスの角度とし、時計回り（観察者２１２側）をプラスの角度とした。縦軸は、輝度を示す。線４０１は、第１の画像２０１として白画像を、第２の画像２０２として黒画像を表示したときの各角度での輝度を示す。線４０２は、第１の画像２０１として黒画像を、第２の画像２０２として白画像を表示したときの各角度での輝度を示す。
【００５１】
図１３は、図１２の原点近傍の領域４０３の拡大図である。線４０１は、第１の画像２０１として白画像を、第２の画像２０２として黒画像を表示し、回折光が無いとしたときの各角度での輝度を示す。線４０１ａは、第１の画像２０１として白画像を、第２の画像２０２として黒画像を表示し、回折光が有るとしたときの各角度での輝度を示す。線４０２は、第１の画像２０１として黒画像を、第２の画像２０２として白画像を表示し、回折光が無いとしたときの各角度での輝度を示す。線４０２ａは、第１の画像２０１として黒画像を、第２の画像２０２として白画像を表示し、回折光が有るとしたときの各角度での輝度を示す。
【００５２】
図１３に示すように、回折光が有る場合（線４０１ａ及び４０２ａ）には、回折光が無い場合（線４０１及び４０２）よりも、表示パネル１の法線方向（角度０°）において、矢印４０４の分だけ輝度が高くなる。
【００５３】
前述した輝度Ｂは、前述した黒輝度Ａに回折光Ｃを加えたものとみなすことができる。
Ｂ＝Ａ＋Ｃ  ・・・（２）
【００５４】
式（１）及び（２）から、式（３）が成り立つ。
Ｘ＝（Ｂ−Ａ）／Ａ
＝（（Ａ＋Ｃ）−Ａ）／Ａ
＝Ｃ／Ａ                  ・・・（３）
【００５５】
クロストークＸは、１以下であることが望ましい。
Ｘ＝Ｃ／Ａ≦１  ・・・（４）
【００５６】
すなわち、黒輝度Ａを回折光Ｃ以上に上昇させれば、望ましいクロストークＸになり、広角側のクロストークが改善される。なお、過度に黒輝度Ａを上昇させると、アイポイント（観察者２１１及び２１２の目の位置）でのコントラストが低下することになるので、黒輝度Ａを回折光Ｃと同程度に上昇させること、つまりクロストークＸを１程度とすることが好ましい。
【００５７】
（比較例）
図１４は、比較例の表示パネルの断面図である。図１４は、比較例の表示パネル１の隣接する２つの画素を示している。図１４中左側には、赤（Ｒ）の画素Ｖｐｉｘ（Ｒ）が、図１４中右側には、緑（Ｇ）の画素Ｖｐｉｘ（Ｇ）が位置しており、画素Ｖｐｉｘ（Ｒ）と画素Ｖｐｉｘ（Ｇ）とは隣接している。
【００５８】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。ガラス基板３１の裏面であって画素Ｖｐｉｘ（Ｇ）の右端部分には、遮光層としてブラックマトリクス７６ａ１が形成されている。ガラス基板３１の裏面であって画素Ｖｐｉｘ（Ｒ）と画素Ｖｐｉｘ（Ｇ）とにまたがる部分には、遮光層としてブラックマトリクス７６ａ２が形成されている。ガラス基板３１の裏面であって画素Ｖｐｉｘ（Ｒ）の左端部分には、遮光層としてブラックマトリクス７６ａ３が形成されている。ブラックマトリクス７６ａ１とブラックマトリクス７６ａ２との間は、遮光層が形成されていない開口部７６ｂ１となっている。ブラックマトリクス７６ａ２とブラックマトリクス７６ａ３との間は、遮光層が形成されていない開口部７６ｂ２となっている。バックライト１０１から表示パネル１に入射した光は、開口部７６ｂ１及び開口部７６ｂ２を通過することができる。
【００５９】
ガラス基板３１の前面（ＴＦＴ基板２と反対側の面）であって画素Ｖｐｉｘ（Ｇ）の中央から右端にかけては、遮光層として視差バリア３３１が形成されている。ガラス基板３１の前面であって画素Ｖｐｉｘ（Ｒ）の中央から左端にかけては、遮光層として視差バリア３３２が形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【００６０】
画素Ｖｐｉｘ（Ｇ）の開口部７６ｂ１を通過した光は、矢印２１１ａの方向に沿って開口部３３ａを通過し、観察者２１１に到達する。なお、画素Ｖｐｉｘ（Ｇ）の開口部７６ｂ１を通過した光は、視差バリア３３１に遮光されるので、前述した回折光を除けば、観察者２１２に到達しない。また、画素Ｖｐｉｘ（Ｒ）の開口部７６ｂ２を通過した光は、矢印２１２ａの方向に沿って開口部３３ａを通過し、観察者２１２に到達する。なお、画素Ｖｐｉｘ（Ｒ）の開口部７６ｂ２を通過した光は、視差バリア３３２に遮光されるので、前述した回折光を除けば、観察者２１１に到達しない。これにより、表示パネル１は、観察者２１１と観察者２１２とに、別々の画像を見せることができる。
【００６１】
バックライト１０１から出射され、画素Ｖｐｉｘ（Ｒ）と画素Ｖｐｉｘ（Ｇ）との境界部に入射した光Ｌ２は、遮光層としてのブラックマトリクス７６ａ２によって遮光され、表示パネル１の前面に出射しない。そのため、表示パネル１は、その法線方向の黒輝度が小さく、先に説明した式（４）で表されるクロストークＸが１より大きい。
【００６２】
（本発明の原理）
図１５は、本発明の表示パネルの断面図である。図１５は、本発明の表示パネル１の隣接する４つの画素を示している。図１５中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。
【００６３】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。画素Ｖｐｉｘ（Ｒ）と画素Ｖｐｉｘ（Ｇ）との境界領域Ｒ１と、画素Ｖｐｉｘ（Ｒ）と画素Ｖｐｉｘ（Ｂ２）との境界領域Ｒ２と、の間は、遮光層が形成されていない開口部７６ｂ２となっている。境界領域Ｒ１と、画素Ｖｐｉｘ（Ｇ）と画素Ｖｐｉｘ（Ｂ１）との境界領域Ｒ３と、の間は、遮光層が形成されていない開口部７６ｂ１となっている。バックライト１０１から表示パネル１に入射した光は、開口部７６ｂ１及び開口部７６ｂ２を通過することができる。
【００６４】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【００６５】
画素Ｖｐｉｘ（Ｇ）の開口部７６ｂ１を通過した光は、矢印２１１ａの方向に沿って開口部３３ａを通過し、観察者２１１に到達する。なお、画素Ｖｐｉｘ（Ｇ）の開口部７６ｂ１を通過した光は、視差バリア３３１に遮光されるので、前述した回折光を除けば、観察者２１２に到達しない。また、画素Ｖｐｉｘ（Ｒ）の開口部７６ｂ２を通過した光は、矢印２１２ａの方向に沿って開口部３３ａを通過し、観察者２１２に到達する。なお、画素Ｖｐｉｘ（Ｒ）の開口部７６ｂ２を通過した光は、視差バリア３３２に遮光されるので、前述した回折光を除けば、観察者２１１に到達しない。これにより、表示パネル１は、観察者２１１と観察者２１２とに、別々の画像を見せることができる。
【００６６】
本発明の表示パネル１は、バックライト１０１から出射され、画素Ｖｐｉｘ（Ｒ）と画素Ｖｐｉｘ（Ｇ）との境界領域Ｒ１に入射した光Ｌ２の少なくとも一部を通過させ、表示パネル１の前面から光Ｌ３として出射させる。これにより、表示パネル１は、その法線方向（角度０°方向）の黒輝度を上昇させることで、先に説明した式（４）で表されるクロストークＸを１以下とすることができる。
【００６７】
また、本発明の表示パネル１は、バックライト１０１から出射され、画素Ｖｐｉｘ（Ｒ）と画素Ｖｐｉｘ（Ｂ２）との境界領域Ｒ２に入射した光Ｌ４の少なくとも一部を通過させ、開口部３３ａを通過させて光Ｌ５として出射させる。これにより、表示パネル１は、角度９０°方向の黒輝度を上昇させることで、先に説明した式（４）で表されるクロストークＸを１以下とすることができる。
【００６８】
また、本発明の表示パネル１は、バックライト１０１から出射され、画素Ｖｐｉｘ（Ｇ）と画素Ｖｐｉｘ（Ｂ１）との境界領域Ｒ３に入射した光Ｌ６の少なくとも一部を通過させ、開口部３３ａを通過させて光Ｌ７として出射させる。これにより、表示パネル１は、角度−９０°方向の黒輝度を上昇させることで、先に説明した式（４）で表されるクロストークＸを１以下とすることができる。
【００６９】
クロストークＸは、先に説明した式（４）で表される。すなわち、黒輝度Ａを回折光Ｃ以上に上昇させれば、望ましいクロストークＸになり、広角側のクロストークが改善される。なお、過度に黒輝度Ａを上昇させると、アイポイント（観察者２１１及び２１２の目の位置）でのコントラストが低下することになるので、黒輝度Ａを回折光Ｃと同程度に上昇させること、つまりクロストークＸを１程度とすることが好ましい。
【００７０】
図１６は、比較例の黒輝度と本発明の黒輝度とのグラフを示す図である。図１６において、横軸は、表示パネル１の法線方向を０°とした表示パネル１からの角度を示す。表示パネル１からの角度は、反時計回り（観察者２１１側）をマイナスの角度とし、時計回り（観察者２１２側）をプラスの角度とした。縦軸は、黒輝度を示す。線４１１は、比較例の黒輝度を示し、線４１２は本発明の黒輝度を示す。本発明は、法線方向（角度０°）と角度９０°方向と角度−９０°方向の黒輝度を上昇させることで、観察者２１１のアイポイントＥＰ１及び観察者２１２のアイポイントＥＰ２での黒輝度を上昇させることなく、つまりアイポイントＥＰ１及びＥＰ２でのコントラストの低下を抑制しつつ、その他の角度（広角側）での黒輝度を上昇させている。図１６中の矢印Ａ１は、図１５の光Ｌ３によって上昇する黒輝度を示している。図１６中の矢印Ａ２は、図１５の光Ｌ５によって上昇する黒輝度を示している。図１６中の矢印Ａ３は、図１５の光Ｌ７によって上昇する黒輝度を示している。
【００７１】
図１７は、比較例のクロストークと本発明のクロストークとのグラフを示す図である。図１７において、横軸は、表示パネル１の法線方向を０°とした表示パネル１からの角度を示す。表示パネル１からの角度は、反時計回り（観察者２１１側）をマイナスの角度とし、時計回り（観察者２１２側）をプラスの角度とした。縦軸は、クロストークを示す。線４１３は、比較例のクロストークを示し、線４１４は、本発明のクロストークを示す。本発明は、法線方向（角度０°）、角度９０°方向及び角度−９０°方向の黒輝度を上昇させることで、観察者２１１のアイポイントＥＰ１及び観察者２１２のアイポイントＥＰ２でのクロストークの変化を抑制しつつ、その他の角度（広角側）でのクロストークを低減させることができる。
【００７２】
＜２．実施形態１＞
（実施形態１）
図１８は、実施形態１に係る表示パネルの断面図である。図１８は、実施形態１に係る表示パネル１の隣接する４つの画素を示している。図１８中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。画素Ｖｐｉｘ（Ｂ１）、画素Ｖｐｉｘ（Ｇ）、画素Ｖｐｉｘ（Ｒ）及び画素Ｖｐｉｘ（Ｂ２）は、ＴＦＴ基板２の前面（対向基板３側の面）に画素電極２７を有している。
【００７３】
液晶６は、画素電極２７と共通電極ＶＣＯＭ（図５参照）との間の電界の状態に応じてそこを通過する光を変調するものであり、例えば、ＴＮ、ＶＡ、ＥＣＢ、ＦＦＳ、ＩＰＳ等の各種モードの液晶が用いられる。
【００７４】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【００７５】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。ガラス基板３１の裏面であって画素Ｖｐｉｘ（Ｇ）と画素Ｖｐｉｘ（Ｂ１）とにまたがる部分には、遮光層としてブラックマトリクス７６ａ１が形成されている。ガラス基板３１の裏面であって画素Ｖｐｉｘ（Ｒ）と画素Ｖｐｉｘ（Ｇ）とにまたがる部分には、遮光層としてブラックマトリクス７６ａ２が形成されている。ガラス基板３１の裏面であって画素Ｖｐｉｘ（Ｒ）と画素Ｖｐｉｘ（Ｂ２）とにまたがる部分には、遮光層としてブラックマトリクス７６ａ３が形成されている。ブラックマトリクス７６ａ１、７６ａ２及び７６ａ３は、光の吸収率が高い材料、例えば、金属クロム（Ｃｒ)、酸化クロム(ＣｒＯ２)、樹脂等で形成されている。ブラックマトリクス７６ａ１とブラックマトリクス７６ａ２との間は、遮光層が形成されていない開口部７６ｂ１となっている。ブラックマトリクス７６ａ２とブラックマトリクス７６ａ３との間は、遮光層が形成されていない開口部７６ｂ２となっている。バックライト１０１から表示パネル１に入射した光は、開口部７６ｂ１及び開口部７６ｂ２を通過することができる。
【００７６】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。なお、視差バリア３３１及び３３２は、ブラックマトリクス７６ａ１、７６ａ２及び７６ａ３と同じ材質であっても良いし、異なっても良い。ガラス基板３１の前面であって画素Ｖｐｉｘ（Ｒ）と画素Ｖｐｉｘ（Ｇ）とにまたがる部分は、遮光層が形成されていない開口部３３ａとなっている。
【００７７】
画素Ｖｐｉｘ（Ｇ）の開口部７６ｂ１を通過した光は、矢印２１１ａの方向に沿って開口部３３ａを通過し、観察者２１１に到達する。なお、画素Ｖｐｉｘ（Ｇ）の開口部７６ｂ１を通過した光は、視差バリア３３１に遮光されるので、前述した回折光を除けば、観察者２１２に到達しない。また、画素Ｖｐｉｘ（Ｒ）の開口部７６ｂ２を通過した光は、矢印２１２ａの方向に沿って開口部３３ａを通過し、観察者２１２に到達する。なお、画素Ｖｐｉｘ（Ｒ）の開口部７６ｂ２を通過した光は、視差バリア３３２に遮光されるので、前述した回折光を除けば、観察者２１１に到達しない。これにより、表示パネル１は、観察者２１１と観察者２１２とに、別々の画像を見せることができる。
【００７８】
ブラックマトリクス７６ａ２には、画素Ｖｐｉｘ（Ｒ）と画素Ｖｐｉｘ（Ｇ）とにまたがる部分に遮光層が形成されていない開口部７６ｃ２が設けられている。バックライト１０１から画素Ｖｐｉｘ（Ｒ）と画素Ｖｐｉｘ（Ｇ）との境界部に入射した光Ｌ２は、開口部７６ｃ２及び開口部３３ａを通過して、表示パネル１の法線方向（角度０°方向）に光Ｌ３として出射する。
【００７９】
表示パネル１は、この光Ｌ３によって法線方向（角度０°方向）の黒輝度が上昇し、２つの画像間のクロストークを低減することができる。なお、光Ｌ３の光量は、開口部７６ｃ２のサイズを変えることで、調整することができる。また、本実施形態では、開口部７６ｃ２が画素Ｖｐｉｘ（Ｒ）と画素Ｖｐｉｘ（Ｇ）とにまたがるように設けられているが、開口部７６ｃ２は画素Ｖｐｉｘ（Ｒ）の上層に設けられても良いし、画素Ｖｐｉｘ（Ｇ）の上層に設けられても良い。
【００８０】
また、ブラックマトリクス７６ａ３には、画素Ｖｐｉｘ（Ｒ）と画素Ｖｐｉｘ（Ｂ２）とにまたがる部分に遮光層が形成されていない開口部７６ｃ３が設けられている。バックライト１０１から画素Ｖｐｉｘ（Ｒ）と画素Ｖｐｉｘ（Ｂ２）との境界部に入射した光Ｌ４は、開口部７６ｃ３及び開口部３３ａを通過して、角度９０°方向に光Ｌ５として出射する。
【００８１】
表示パネル１は、この光Ｌ５によって角度９０°方向の黒輝度が上昇し、２つの画像間のクロストークを低減することができる。なお、光Ｌ５の光量は、開口部７６ｃ３のサイズを変えることで、調整することができる。また、本実施形態では、開口部７６ｃ３が画素Ｖｐｉｘ（Ｒ）と画素Ｖｐｉｘ（Ｂ２）とにまたがるように設けられているが、開口部７６ｃ３は画素Ｖｐｉｘ（Ｒ）の上層に設けられても良いし、画素Ｖｐｉｘ（Ｂ２）の上層に設けられても良い。
【００８２】
また、ブラックマトリクス７６ａ１には、画素Ｖｐｉｘ（Ｇ）と画素Ｖｐｉｘ（Ｂ１）とにまたがる部分に遮光層が形成されていない開口部７６ｃ１が設けられている。バックライト１０１から画素Ｖｐｉｘ（Ｇ）と画素Ｖｐｉｘ（Ｂ１）との境界部に入射した光Ｌ６は、開口部７６ｃ１及び開口部３３ａを通過して、角度−９０°方向に光Ｌ７として出射する。
【００８３】
表示パネル１は、この光Ｌ７によって角度−９０°方向の黒輝度が上昇し、２つの画像間のクロストークを低減することができる。なお、光Ｌ７の光量は、開口部７６ｃ１のサイズを変えることで、調整することができる。また、本実施形態では、開口部７６ｃ１が画素Ｖｐｉｘ（Ｇ）と画素Ｖｐｉｘ（Ｂ１）とにまたがるように設けられているが、開口部７６ｃ１は画素Ｖｐｉｘ（Ｇ）の上層に設けられても良いし、画素Ｖｐｉｘ（Ｂ１）の上層に設けられても良い。
【００８４】
図１９は、実施形態１の表示パネルの平面図である。図１９では、理解の容易のため、視差バリアの表示を省略している。表示パネル１は、長手方向が図中上下方向にそれぞれ延在するとともに、図中左右方向に隣接する画素Ｖｐｉｘ（Ｇ１）、Ｖｐｉｘ（Ｂ１）、Ｖｐｉｘ（Ｒ１）、Ｖｐｉｘ（Ｇ２）、Ｖｐｉｘ（Ｂ２）及びＶｐｉｘ（Ｒ２）を有している。
【００８５】
ブラックマトリクス７６ａは、図１９に示すように画素Ｖｐｉｘ（Ｇ１）、Ｖｐｉｘ（Ｂ１）、Ｖｐｉｘ（Ｒ１）、Ｖｐｉｘ（Ｇ２）、Ｖｐｉｘ（Ｂ２）及びＶｐｉｘ（Ｒ２）の外周を覆うように形成されている。つまり、ブラックマトリクス７６ａは、二次元配置された画素Ｖｐｉｘと画素Ｖｐｉｘとの境界に配置されることで、格子形状となっている。
【００８６】
そして、ブラックマトリクス７６ａの画素Ｖｐｉｘ（Ｇ１）と画素Ｖｐｉｘ（Ｂ１）とにまたがる部分には、複数の開口部７６ｃが、画素Ｖｐｉｘ（Ｇ１）及び画素Ｖｐｉｘ（Ｂ１）の長手方向に配列されている。同様に、ブラックマトリクス７６ａの画素Ｖｐｉｘ（Ｂ１）と画素Ｖｐｉｘ（Ｒ１）とにまたがる部分、画素Ｖｐｉｘ（Ｒ１）と画素Ｖｐｉｘ（Ｇ２）とにまたがる部分、画素Ｖｐｉｘ（Ｇ２）と画素Ｖｐｉｘ（Ｂ２）とにまたがる部分、画素Ｖｐｉｘ（Ｂ２）と画素Ｖｐｉｘ（Ｒ２）とにまたがる部分には、複数の開口部７６ｃが、画素Ｖｐｉｘ（Ｇ１）及び画素Ｖｐｉｘ（Ｂ１）の長手方向に配列されている。複数の開口部７６ｃを通過して表示パネル１の法線方向に出射する光の光量は、開口部７６ｃのサイズ及び個数を変えることで、調整することができる。なお、本実施形態では、開口部７６ｃが画素と画素とにまたがるように設けられているが、開口部７６ｃはいずれかの画素の上層に設けられても良い。
【００８７】
実施形態１に係る表示パネル１によれば、開口部７６ｃを設けることで、表示パネル１の法線方向（角度０°方向）、角度９０°方向及び角度−９０°方向に光を出射させることができる。これにより、表示パネル１は、黒輝度を上昇させることができ、２つの画像間のクロストークを低減させることができる。
【００８８】
図２０は、ブラックマトリクスに開口部を設けない場合とブラックマトリクスに開口部を設けた場合とのクロストークのシミュレーション結果を示すグラフである。図２０において、横軸は、表示パネル１の法線方向を０°とした表示パネル１からの角度を示す。表示パネル１からの角度は、反時計回り（観察者２１１側）をマイナスの角度とし、時計回り（観察者２１２側）をプラスの角度とした。縦軸は、クロストークを示す。線４２１は、ブラックマトリクスに開口部を設けない場合のクロストークを示し、線４２２は、ブラックマトリクスに開口部を設けた場合のクロストークを示す。図２０に示すように、ブラックマトリクスに開口部を設けることで、広い角度域において、クロストークを低減することができる。
【００８９】
なお、先に式（４）で説明したように、クロストークは１以下であることが好ましい。すなわち、黒輝度を回折光以上に上昇させれば、望ましいクロストークになり、広角側のクロストークが改善される。なお、過度に黒輝度を上昇させると、アイポイント（観察者２１１及び２１２の目の位置）でのコントラストが低下することになるので、黒輝度を回折光と同程度に上昇させること、つまりクロストークを１程度とすることが好ましい。黒輝度の調整は、開口部７６ｃのサイズ及び個数を変えることで行うことができる。
【００９０】
（実施形態１の変形例１）
実施形態１では、ブラックマトリクスに開口部を設けて黒輝度を上昇させることとしたが、ブラックマトリクスを薄膜化したり、ブラックマトリクスを光透過性の高い材料で構成したりすることで黒輝度を上昇させることとしても良い。
【００９１】
図２１は、実施形態１の変形例１の表示パネルを示す断面図である。図２１は、変形例１に係る表示パネル１の隣接する４つの画素を示している。図２１中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。画素Ｖｐｉｘ（Ｂ１）、画素Ｖｐｉｘ（Ｇ）、画素Ｖｐｉｘ（Ｒ）及び画素Ｖｐｉｘ（Ｂ２）は、ＴＦＴ基板２の前面（対向基板３側の面）に画素電極２７を有している。
【００９２】
液晶６は、画素電極２７と共通電極ＶＣＯＭ（図５参照）との間の電界の状態に応じてそこを通過する光を変調するものであり、例えば、ＴＮ、ＶＡ、ＥＣＢ、ＦＦＳ、ＩＰＳ等の各種モードの液晶が用いられる。
【００９３】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【００９４】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。ガラス基板３１の裏面であって画素Ｖｐｉｘ（Ｇ）と画素Ｖｐｉｘ（Ｂ１）とにまたがる部分には、遮光層としてブラックマトリクス７７ａ１が形成されている。ガラス基板３１の裏面であって画素Ｖｐｉｘ（Ｒ）と画素Ｖｐｉｘ（Ｇ）とにまたがる部分には、遮光層としてブラックマトリクス７７ａ２が形成されている。ガラス基板３１の裏面であって画素Ｖｐｉｘ（Ｒ）と画素Ｖｐｉｘ（Ｂ２）とにまたがる部分には、遮光層としてブラックマトリクス７７ａ３が形成されている。ブラックマトリクス７７ａ１とブラックマトリクス７７ａ２との間は、遮光層が形成されていない開口部７７ｂ１となっている。ブラックマトリクス７７ａ２とブラックマトリクス７７ａ３との間は、遮光層が形成されていない開口部７７ｂ２となっている。バックライト１０１から表示パネル１に入射した光は、開口部７７ｂ１及び開口部７７ｂ２を通過することができる。
【００９５】
ブラックマトリクス７７ａ１、７７ａ２及び７７ａ３は、例えば、金属クロム（Ｃｒ)、酸化クロム(ＣｒＯ２)、樹脂等で形成されている。ブラックマトリクス７７ａ１、７７ａ２及び７７ａ３は、金属クロム（Ｃｒ）で形成される場合は、ＯＤ値（光学濃度）が３〜４程度、つまり光の透過率が０．１％〜０．０１％程度とすることができる。また、ブラックマトリクス７７ａ１、７７ａ２及び７７ａ３は、樹脂で形成される場合は、ＯＤ値が４〜５程度、つまり光の透過率が０．０１％〜０．００１％程度とすることができる。
【００９６】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【００９７】
画素Ｖｐｉｘ（Ｇ）の開口部７７ｂ１を通過した光は、矢印２１１ａの方向に沿って開口部３３ａを通過し、観察者２１１に到達する。なお、画素Ｖｐｉｘ（Ｇ）の開口部７７ｂ１を通過した光は、視差バリア３３１に遮光されるので、前述した回折光を除けば、観察者２１２に到達しない。また、画素Ｖｐｉｘ（Ｒ）の開口部７７ｂ２を通過した光は、矢印２１２ａの方向に沿って開口部３３ａを通過し、観察者２１２に到達する。なお、画素Ｖｐｉｘ（Ｒ）の開口部７７ｂ２を通過した光は、視差バリア３３２に遮光されるので、前述した回折光を除けば、観察者２１１に到達しない。これにより、表示パネル１は、観察者２１１と観察者２１２とに、別々の画像を見せることができる。
【００９８】
ブラックマトリクス７７ａ２は、光透過性の高い材料で構成されているので、バックライト１０１から画素Ｖｐｉｘ（Ｒ）と画素Ｖｐｉｘ（Ｇ）との境界部に入射した光Ｌ２の一部は、ブラックマトリクス７７ａ２を透過し、開口部３３ａを通過して、表示パネル１の法線方向（角度０°方向）に光Ｌ３として出射する。
【００９９】
表示パネル１は、この光Ｌ３によって法線方向（角度０°方向）の黒輝度が上昇し、２つの画像間のクロストークを低減することができる。なお、光Ｌ３の光量は、ブラックマトリクス７７ａ２のＯＤ値を変えることで、調整することができる。
【０１００】
また、ブラックマトリクス７７ａ３は、光透過性の高い材料で構成されているので、バックライト１０１から画素Ｖｐｉｘ（Ｒ）と画素Ｖｐｉｘ（Ｂ２）との境界部に入射した光Ｌ４の一部は、ブラックマトリクス７７ａ３を透過し、開口部３３ａを通過して、表示パネル１の角度９０°方向に光Ｌ５として出射する。
【０１０１】
表示パネル１は、この光Ｌ５によって角度９０°方向の黒輝度が上昇し、２つの画像間のクロストークを低減することができる。なお、光Ｌ５の光量は、ブラックマトリクス７７ａ３のＯＤ値を変えることで、調整することができる。
【０１０２】
また、ブラックマトリクス７７ａ１は、光透過性の高い材料で構成されているので、バックライト１０１から画素Ｖｐｉｘ（Ｇ）と画素Ｖｐｉｘ（Ｂ１）との境界部に入射した光Ｌ６の一部は、ブラックマトリクス７７ａ１を透過し、開口部３３ａを通過して、表示パネル１の角度−９０°方向に光Ｌ７として出射する。
【０１０３】
表示パネル１は、この光Ｌ７によって角度９０°方向の黒輝度が上昇し、２つの画像間のクロストークを低減することができる。なお、光Ｌ７の光量は、ブラックマトリクス７７ａ１のＯＤ値を変えることで、調整することができる。
【０１０４】
変形例１に係る表示パネル１によれば、ブラックマトリクス７７ａ１、７７ａ２及び７７ａ３が光透過性の高い材料で構成されているので、表示パネル１の法線方向（角度０°方向）に光Ｌ３を出射させ、角度９０°方向に光Ｌ５を出射させ、角度−９０°方向に光Ｌ７を出射させることができる。これにより、表示パネル１は、黒輝度を上昇させることができ、２つの画像間のクロストークを低減させることができる。
【０１０５】
なお、先に式（４）で説明したように、クロストークは１以下であることが好ましい。すなわち、黒輝度を回折光以上に上昇させれば、望ましいクロストークになり、広角側のクロストークが改善される。なお、過度に黒輝度を上昇させると、アイポイント（観察者２１１及び２１２の目の位置）でのコントラストが低下することになるので、黒輝度を回折光と同程度に上昇させること、つまりクロストークを１程度とすることが好ましい。黒輝度の調整は、ブラックマトリクス７７ａ１、７７ａ２及び７７ａ３のＯＤ値を変えることで行うことができる。
【０１０６】
なお、ブラックマトリクス７７ａ１、７７ａ２及び７７ａ３を光透過性の高い材料で構成することに代えて、ブラックマトリクス７７ａ１、７７ａ２及び７７ａ３を光透過性の低い材料で構成し且つ薄膜化しても良い。このようにブラックマトリクス７７ａ１、７７ａ２及び７７ａ３を薄膜化することで、表示パネル１の法線方向に光Ｌ３を出射させ、角度９０°方向に光Ｌ５を出射させ、角度−９０°方向に光Ｌ７を出射させることができる。これにより、表示パネル１は、黒輝度を上昇させることができ、２つの画像間のクロストークを低減させることができる。なお、黒輝度の調整は、ブラックマトリクス７７ａ１、７７ａ２及び７７ａ３の膜厚を変えることで行うことができる。
【０１０７】
（実施形態１の変形例２）
実施形態１では、ブラックマトリクスに開口部を設けて黒輝度を上昇させ、実施形態１の変形例１では、ブラックマトリクスを薄膜化したり、ブラックマトリクスを光透過性の高い材料で構成したりして黒輝度を上昇させている。更に加えて、ブラックマトリクスの下層にカラーフィルタを形成しないようにして黒輝度を更に上昇させても良い。
【０１０８】
図２２は、実施形態１の変形例２の表示パネルを示す断面図である。図２２は、変形例２に係る表示パネル１の隣接する４つの画素を示している。図２２中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。画素Ｖｐｉｘ（Ｂ１）、画素Ｖｐｉｘ（Ｇ）、画素Ｖｐｉｘ（Ｒ）及び画素Ｖｐｉｘ（Ｂ１）は、ＴＦＴ基板２の前面（対向基板３側の面）に画素電極２７を有している。
【０１０９】
液晶６は、画素電極２７と共通電極ＶＣＯＭ（図５参照）との間の電界の状態に応じてそこを通過する光を変調するものであり、例えば、ＴＮ、ＶＡ、ＥＣＢ、ＦＦＳ、ＩＰＳ等の各種モードの液晶が用いられる。
【０１１０】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【０１１１】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。ガラス基板３１の裏面であって画素Ｖｐｉｘ（Ｇ）と画素Ｖｐｉｘ（Ｂ１）とにまたがる部分には、遮光層としてブラックマトリクス７７ａ１が形成されている。ガラス基板３１の裏面であって画素Ｖｐｉｘ（Ｒ）と画素Ｖｐｉｘ（Ｇ）とにまたがる部分には、遮光層としてブラックマトリクス７７ａ２が形成されている。ガラス基板３１の裏面であって画素Ｖｐｉｘ（Ｒ）と画素Ｖｐｉｘ（Ｂ２）とにまたがる部分には、遮光層としてブラックマトリクス７７ａ３が形成されている。ブラックマトリクス７７ａ１とブラックマトリクス７７ａ２との間は、遮光層が形成されていない開口部７７ｂ１となっている。ブラックマトリクス７７ａ２とブラックマトリクス７７ａ３との間は、遮光層が形成されていない開口部７７ｂ２となっている。バックライト１０１から表示パネル１に入射した光は、開口部７７ｂ１及び開口部７７ｂ２を通過することができる。
【０１１２】
ブラックマトリクス７７ａ１、７７ａ２及び７７ａ３は、例えば、金属クロム（Ｃｒ)、酸化クロム(ＣｒＯ２)、樹脂等で形成されている。ブラックマトリクス７７ａ１、７７ａ２及び７７ａ３は、金属クロム（Ｃｒ）で形成される場合は、ＯＤ値（光学濃度）が３〜４程度、つまり光の透過率が０．１％〜０．０１％程度とすることができる。また、ブラックマトリクス７７ａ１、７７ａ２及び７７ａ３は、樹脂で形成される場合は、ＯＤ値が４〜５程度、つまり光の透過率が０．０１％〜０．００１％程度とすることができる。
【０１１３】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【０１１４】
画素Ｖｐｉｘ（Ｇ）の開口部７７ｂ１を通過した光は、矢印２１１ａの方向に沿って開口部３３ａを通過し、観察者２１１に到達する。なお、画素Ｖｐｉｘ（Ｇ）の開口部７７ｂ１を通過した光は、視差バリア３３１に遮光されるので、前述した回折光を除けば、観察者２１２に到達しない。また、画素Ｖｐｉｘ（Ｒ）の開口部７７ｂ２を通過した光は、矢印２１２ａの方向に沿って開口部３３ａを通過し、観察者２１２に到達する。なお、画素Ｖｐｉｘ（Ｒ）の開口部７７ｂ２を通過した光は、視差バリア３３２に遮光されるので、前述した回折光を除けば、観察者２１１に到達しない。これにより、表示パネル１は、観察者２１１と観察者２１２とに、別々の画像を見せることができる。
【０１１５】
ブラックマトリクス７７ａ２の下層の領域Ｒ４には、カラーフィルタ３２Ｒ及び３２Ｇが形成されていない。そして、ブラックマトリクス７７ａ２は、光透過性の高い材料で構成されている。そのため、バックライト１０１から画素Ｖｐｉｘ（Ｒ）と画素Ｖｐｉｘ（Ｇ）との境界部に入射した光Ｌ２の一部は、領域Ｒ４を通過し、ブラックマトリクス７７ａ２を透過し、開口部３３ａを通過して、表示パネル１の法線方向（角度０°方向）に光Ｌ３として出射する。
【０１１６】
表示パネル１は、この光Ｌ３によって法線方向（角度０°方向）の黒輝度が上昇し、２つの画像間のクロストークを低減することができる。なお、光Ｌ３の光量は、ブラックマトリクス７７ａ２のＯＤ値を変えることで、調整することができる。
【０１１７】
また、ブラックマトリクス７７ａ３の下層の領域Ｒ６には、カラーフィルタ３２Ｒ及び３２Ｂ２が形成されていない。そして、ブラックマトリクス７７ａ３は、光透過性の高い材料で構成されている。そのため、バックライト１０１から画素Ｖｐｉｘ（Ｒ）と画素Ｖｐｉｘ（Ｂ２）との境界部に入射した光Ｌ４の一部は、領域Ｒ６を通過し、ブラックマトリクス７７ａ３を透過し、開口部３３ａを通過して、表示パネル１の角度９０°方向に光Ｌ５として出射する。
【０１１８】
表示パネル１は、この光Ｌ５によって角度９０°方向の黒輝度が上昇し、２つの画像間のクロストークを低減することができる。なお、光Ｌ５の光量は、ブラックマトリクス７７ａ３のＯＤ値を変えることで、調整することができる。
【０１１９】
また、ブラックマトリクス７７ａ１の下層の領域Ｒ５には、カラーフィルタ３２Ｇ及び３２Ｂ１が形成されていない。そして、ブラックマトリクス７７ａ１は、光透過性の高い材料で構成されている。そのため、バックライト１０１から画素Ｖｐｉｘ（Ｇ）と画素Ｖｐｉｘ（Ｂ１）との境界部に入射した光Ｌ６の一部は、領域Ｒ５を通過し、ブラックマトリクス７７ａ１を透過し、開口部３３ａを通過して、表示パネル１の角度−９０°方向に光Ｌ７として出射する。
【０１２０】
表示パネル１は、この光Ｌ７によって角度−９０°方向の黒輝度が上昇し、２つの画像間のクロストークを低減することができる。なお、光Ｌ７の光量は、ブラックマトリクス７７ａ２のＯＤ値を変えることで、調整することができる。
【０１２１】
変形例２に係る表示パネル１によれば、ブラックマトリクス７７ａ２の下層の領域Ｒ４には、カラーフィルタ３２Ｒ及び３２Ｇが形成されておらず、ブラックマトリクス７７ａ３の下層の領域Ｒ５には、カラーフィルタ３２Ｒ及び３２Ｂ２が形成されておらず、ブラックマトリクス７７ａ１の下層の領域Ｒ６には、カラーフィルタ３２Ｇ及び３２Ｂ１が形成されておらず、また、ブラックマトリクス７７ａ１、７７ａ２及び７７ａ３が光透過性の高い材料で構成されているので、表示パネル１の法線方向（角度０°方向）に光Ｌ３を出射させ、角度９０°方向に光Ｌ５を出射させ、角度−９０°方向に光Ｌ７を出射させることができる。これにより、表示パネル１は、黒輝度を更に上昇させることができ、２つの画像間のクロストークを低減させることができる。変形例２は、回折光量が多い場合に特に有効である。
【０１２２】
また、領域Ｒ４にカラーフィルタ３２Ｒ及び３２Ｇが形成されていないので、光Ｌ３は赤（Ｒ）成分及び緑（Ｇ）成分が少ない。また、領域Ｒ５にカラーフィルタ３２Ｒ及び３２Ｂ２が形成されていないので、光Ｌ５は赤（Ｒ）成分及び青（Ｂ）成分が少ない。また、領域Ｒ６にカラーフィルタ３２Ｇ及び３２Ｂ１が形成されていないので、光Ｌ７は緑（Ｇ）成分及び青（Ｂ）成分が少ない。そのため、表示パネル１は、色再現性を向上することができる。なお、図２２では、領域Ｒ４の全域にカラーフィルタ３２Ｒ及び３２Ｇが形成されていないこととしたが、領域Ｒ４の少なくとも一部にカラーフィルタ３２Ｒ及び３２Ｇが形成されていないこととしても良い。また、図２２では、領域Ｒ５の全域にカラーフィルタ３２Ｒ及び３２Ｂ２が形成されていないこととしたが、領域Ｒ５の少なくとも一部にカラーフィルタ３２Ｒ及び３２Ｂ２が形成されていないこととしても良い。また、図２２では、領域Ｒ６の全域にカラーフィルタ３２Ｇ及び３２Ｂ１が形成されていないこととしたが、領域Ｒ６の少なくとも一部にカラーフィルタ３２Ｇ及び３２Ｂ１が形成されていないこととしても良い。
【０１２３】
なお、先に式（４）で説明したように、クロストークは１以下であることが好ましい。すなわち、黒輝度を回折光以上に上昇させれば、望ましいクロストークになり、広角側のクロストークが改善される。なお、過度に黒輝度を上昇させると、アイポイント（観察者２１１及び２１２の目の位置）でのコントラストが低下することになるので、黒輝度を回折光と同程度に上昇させること、つまりクロストークを１程度とすることが好ましい。黒輝度の調整は、ブラックマトリクス７７ａ１、７７ａ２及び７７ａ３のＯＤ値を変えることで行うことができる。
【０１２４】
なお、ブラックマトリクス７７ａ１、７７ａ２及び７７ａ３を光透過性の高い材料で構成することに代えて、ブラックマトリクス７７ａ１、７７ａ２及び７７ａ３を光透過性の低い材料で構成し且つ薄膜化しても良い。このようにブラックマトリクス７７ａ１、７７ａ２及び７７ａ３を薄膜化することで、表示パネル１の法線方向（角度０°方向）に光Ｌ３を出射させ、表示パネル１の角度９０°方向に光Ｌ５を出射させ、表示パネル１の角度−９０°方向に光Ｌ７を出射させることができる。これにより、表示パネル１は、黒輝度を上昇させることができ、２つの画像間のクロストークを低減させることができる。なお、黒輝度の調整は、ブラックマトリクス７７ａ１、７７ａ２及び７７ａ３の膜厚を変えることで行うことができる。
【０１２５】
また、実施形態１（図１８参照）のブラックマトリクス７６ａ１、７６ａ２及び７６ａ３の下層にカラーフィルタを形成しないこととしても良い。この場合、カラーフィルタを形成しない領域は、平面視して、少なくともブラックマトリクス７６ａ２の開口部７６ｃ２の下層、ブラックマトリクス７６ａ１の開口部７６ｃ１の下層、ブラックマトリクス７６ａ３の開口部７６ｃ３の下層であれば良い。これにより、表示パネル１は、黒輝度を更に上昇させることができ、２つの画像間のクロストークを低減させることができる。また、ブラックマトリクス７６ａ２の下層にカラーフィルタが形成されていないので、光Ｌ３は赤（Ｒ）成分及び緑（Ｇ）成分が少ない。また、ブラックマトリクス７６ａ３の下層にカラーフィルタが形成されていないので、光Ｌ５は赤（Ｒ）成分及び青（Ｂ）成分が少ない。また、ブラックマトリクス７６ａ１の下層にカラーフィルタが形成されていないので、光Ｌ７は緑（Ｇ）成分及び青（Ｂ）成分が少ない。そのため、表示パネル１は、色再現性を向上することができる。
【０１２６】
（実施形態２）
図２３は、実施形態２に係る表示パネルの断面図である。図２３は、実施形態２に係る表示パネル１の隣接する４つの画素を示している。図２３中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。画素Ｖｐｉｘ（Ｂ１）、画素Ｖｐｉｘ（Ｇ）、画素Ｖｐｉｘ（Ｒ）及び画素Ｖｐｉｘ（Ｂ２）は、ＴＦＴ基板２の前面（対向基板３側の面）に画素電極２７を有している。
【０１２７】
液晶６は、画素電極２７と共通電極ＶＣＯＭ（図５参照）との間の電界の状態に応じてそこを通過する光を変調するものである。実施形態２では、液晶６はノーマリーブラック、つまり画素電極２７と共通電極ＶＣＯＭとの間に電圧が印加されていないときに透過率が最小となり黒表示となる液晶であり、例えば、ＶＡ、ＩＰＳが用いられる。
【０１２８】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【０１２９】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。
【０１３０】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【０１３１】
画素Ｖｐｉｘ（Ｇ）を通過した光は、矢印２１１ａの方向に沿って開口部３３ａを通過し、観察者２１１に到達する。なお、画素Ｖｐｉｘ（Ｇ）を通過した光は、視差バリア３３１に遮光されるので、前述した回折光を除けば、観察者２１２に到達しない。また、画素Ｖｐｉｘ（Ｒ）を通過した光は、矢印２１２ａの方向に沿って開口部３３ａを通過し、観察者２１２に到達する。なお、画素Ｖｐｉｘ（Ｒ）を通過した光は、視差バリア３３２に遮光されるので、前述した回折光を除けば、観察者２１１に到達しない。これにより、表示パネル１は、観察者２１１と観察者２１２とに、別々の画像を見せることができる。
【０１３２】
図２３に示すように、実施形態２に係る表示パネル１では、実施形態１と異なり、画素Ｖｐｉｘ（Ｒ）と画素Ｖｐｉｘ（Ｇ）との境界部にブラックマトリクスが形成されていない。
【０１３３】
先に説明したように、液晶６は、ノーマリーブラックである。画素Ｖｐｉｘ（Ｒ）と画素Ｖｐｉｘ（Ｇ）とにまたがる領域Ｒ７内の液晶６は、領域Ｒ７内に画素電極が無く電界が無いか又は非常に微弱であるので、バックライト１０１から領域Ｒ７に入射する光Ｌ２の大部分を遮光する。しかし、領域Ｒ７内の液晶６は、バックライト１０１から領域Ｒ７に入射する光Ｌ２の一部を通過させる。そして、領域Ｒ７の上層にはブラックマトリクスが形成されていない。従って、表示パネル１は、バックライト１０１から入射した光Ｌ２の一部を光Ｌ３として出射させる。
【０１３４】
表示パネル１は、この光Ｌ３によって法線方向（角度０°方向）の黒輝度が上昇し、２つの画像間のクロストークを低減することができる。
【０１３５】
また、図２３に示すように、実施形態２に係る表示パネル１では、実施形態１と異なり、画素Ｖｐｉｘ（Ｒ）と画素Ｖｐｉｘ（Ｂ２）との境界部にブラックマトリクスが形成されていない。
【０１３６】
先に説明したように、液晶６は、ノーマリーブラックである。画素Ｖｐｉｘ（Ｒ）と画素Ｖｐｉｘ（Ｂ２）とにまたがる領域Ｒ９内の液晶６は、領域Ｒ９内に画素電極が無く電界が無いか又は非常に微弱であるので、バックライト１０１から領域Ｒ９に入射する光Ｌ４の大部分を遮光する。しかし、領域Ｒ９内の液晶６は、バックライト１０１から領域Ｒ９に入射する光Ｌ４の一部を通過させる。そして、領域Ｒ９の上層にはブラックマトリクスが形成されていない。従って、表示パネル１は、バックライト１０１から入射した光Ｌ４の一部を光Ｌ５として、表示パネル１の角度９０°方向に出射させる。
【０１３７】
表示パネル１は、この光Ｌ５によって角度９０°方向の黒輝度が上昇し、２つの画像間のクロストークを低減することができる。
【０１３８】
また、図２３に示すように、実施形態２に係る表示パネル１では、実施形態１と異なり、画素Ｖｐｉｘ（Ｇ）と画素Ｖｐｉｘ（Ｂ１）との境界部にブラックマトリクスが形成されていない。
【０１３９】
先に説明したように、液晶６は、ノーマリーブラックである。画素Ｖｐｉｘ（Ｇ）と画素Ｖｐｉｘ（Ｂ１）とにまたがる領域Ｒ８内の液晶６は、領域Ｒ８内に画素電極が無く電界が無いか又は非常に微弱であるので、バックライト１０１から領域Ｒ８に入射する光Ｌ６の大部分を遮光する。しかし、領域Ｒ８内の液晶６は、バックライト１０１から領域Ｒ８に入射する光Ｌ６の一部を通過させる。そして、領域Ｒ８の上層にはブラックマトリクスが形成されていない。従って、表示パネル１は、バックライト１０１から入射した光Ｌ６の一部を光Ｌ７として、表示パネル１の角度−９０°方向に出射させる。
【０１４０】
表示パネル１は、この光Ｌ７によって角度−９０°方向の黒輝度が上昇し、２つの画像間のクロストークを低減することができる。
【０１４１】
図２４は、実施形態２の表示パネルの平面図である。図２４では、理解の容易のため、視差バリアの表示を省略している。表示パネル１は、長手方向が図中上下方向にそれぞれ延在する、画素Ｖｐｉｘ（Ｂ１）、画素Ｖｐｉｘ（Ｇ）、画素Ｖｐｉｘ（Ｒ）及び画素Ｖｐｉｘ（Ｂ２）を有している。
【０１４２】
ブラックマトリクス７６ａは、図２４に示すように画素Ｖｐｉｘ（Ｂ１）、画素Ｖｐｉｘ（Ｇ）、画素Ｖｐｉｘ（Ｒ）及び画素Ｖｐｉｘ（Ｂ２）の短辺を覆うように形成されている。つまり、ブラックマトリクス７６ａは、画素Ｖｐｉｘ（Ｂ１）、画素Ｖｐｉｘ（Ｇ）、画素Ｖｐｉｘ（Ｒ）及び画素Ｖｐｉｘ（Ｂ２）の短手方向（図中左右方向）に延在するように配置されることで、ストライプ形状となっている。
【０１４３】
実施形態２に係る表示パネル１によれば、液晶６をノーマリーブラックとすることで、表示パネル１の法線方向（角度０°方向）に光Ｌ３を出射させ、表示パネル１の角度９０°方向に光Ｌ５を出射させ、表示パネル１の角度−９０°方向に光Ｌ７を出射させることができる。これにより、表示パネル１は、黒輝度を上昇させることができ、２つの画像間のクロストークを低減させることができる。
【０１４４】
（実施形態２の変形例）
実施形態２では、液晶をノーマリーブラックとし且つブラックマトリクスを形成しないことで黒輝度を上昇させている。更に加えて、画素と画素との境界部にカラーフィルタを形成しないようにして黒輝度を更に上昇させても良い。
【０１４５】
図２５は、実施形態２の変形例の表示パネルを示す断面図である。図２５は、変形例に係る表示パネル１の隣接する４つの画素を示している。図２５中右側から左側に向かって、青（Ｂ）の画素Ｖｐｉｘ（Ｂ１）、緑（Ｇ）の画素Ｖｐｉｘ（Ｇ）、赤（Ｒ）の画素Ｖｐｉｘ（Ｒ）及び青（Ｂ）の画素Ｖｐｉｘ（Ｂ２）が位置しており、画素Ｖｐｉｘ（Ｂ１）と画素Ｖｐｉｘ（Ｇ）、画素Ｖｐｉｘ（Ｇ）と画素Ｖｐｉｘ（Ｒ）、画素Ｖｐｉｘ（Ｒ）と画素Ｖｐｉｘ（Ｂ２）は隣接している。画素Ｖｐｉｘ（Ｂ１）、画素Ｖｐｉｘ（Ｇ）、画素Ｖｐｉｘ（Ｒ）及び画素Ｖｐｉｘ（Ｂ２）は、ＴＦＴ基板２の前面（対向基板３側の面）に画素電極２７を有している。
【０１４６】
液晶６は、画素電極２７と共通電極ＶＣＯＭ（図５参照）との間の電界の状態に応じてそこを通過する光を変調するものである。実施形態２では、液晶６はノーマリーブラック、つまり画素電極２７と共通電極ＶＣＯＭとの間に電圧が印加されていないときに透過率が最小となり黒表示となる液晶であり、例えば、ＶＡ、ＩＰＳが用いられる。
【０１４７】
なお、液晶６とＴＦＴ基板２との間、及び液晶６と対向基板３との間には、それぞれ配向膜が配設され、また、ＴＦＴ基板２の裏面側には入射側偏光板が配置されてもよい。
【０１４８】
画素Ｖｐｉｘ（Ｒ）は、ガラス基板３１の裏面（ＴＦＴ基板２側の面）に赤（Ｒ）のカラーフィルタ３２Ｒを有している。画素Ｖｐｉｘ（Ｇ）は、ガラス基板３１の裏面に緑（Ｇ）のカラーフィルタ３２Ｇを有している。画素Ｖｐｉｘ（Ｂ１）は、ガラス基板３１の裏面に青（Ｂ）のカラーフィルタ３２Ｂ１を有している。画素Ｖｐｉｘ（Ｂ２）は、ガラス基板３１の裏面に青（Ｂ）のカラーフィルタ３２Ｂ２を有している。
【０１４９】
ガラス基板３１の前面（ＴＦＴ基板２と反対側の面）であって画素Ｖｐｉｘ（Ｇ）の中央部には、遮光層として視差バリア３３１が形成されている。ガラス基板３１の前面であって画素Ｖｐｉｘ（Ｒ）の中央部には、遮光層として視差バリア３３２が形成されている。視差バリア３３１及び３３２は、光の吸収率が高い材料、例えば、金属クロム（Ｃｒ)、酸化クロム(ＣｒＯ２)、樹脂等で形成されている。ガラス基板３１の前面であって画素Ｖｐｉｘ（Ｒ）と画素Ｖｐｉｘ（Ｇ）とにまたがる部分は、遮光層が形成されていない開口部３３ａとなっている。
【０１５０】
画素Ｖｐｉｘ（Ｇ）を通過した光は、矢印２１１ａの方向に沿って開口部３３ａを通過し、観察者２１１に到達する。なお、画素Ｖｐｉｘ（Ｇ）を通過した光は、視差バリア３３１に遮光されるので、前述した回折光を除けば、観察者２１２に到達しない。また、画素Ｖｐｉｘ（Ｒ）を通過した光は、矢印２１２ａの方向に沿って開口部３３ａを通過し、観察者２１２に到達する。なお、画素Ｖｐｉｘ（Ｒ）を通過した光は、視差バリア３３２に遮光されるので、前述した回折光を除けば、観察者２１１に到達しない。これにより、表示パネル１は、観察者２１１と観察者２１２とに、別々の画像を見せることができる。
【０１５１】
先に説明したように、液晶６は、ノーマリーブラックである。画素Ｖｐｉｘ（Ｒ）と画素Ｖｐｉｘ（Ｇ）とにまたがる領域Ｒ１０内の液晶６は、領域Ｒ１０内に画素電極が無く電界が無いか又は非常に微弱であるので、バックライト１０１から領域Ｒ１０に入射する光Ｌ２の大部分を遮光する。しかし、領域Ｒ１０内の液晶６は、バックライト１０１から領域Ｒ１０に入射する光Ｌ２の一部を通過させる。更に、領域Ｒ１０の上層の領域Ｒ１１には、カラーフィルタ３２Ｒ及び３２Ｇが形成されていない。そのため、バックライト１０１から画素Ｖｐｉｘ（Ｒ）と画素Ｖｐｉｘ（Ｇ）との境界部の領域Ｒ１０に入射した光Ｌ２の一部は、領域Ｒ１０を透過し、領域Ｒ１１を通過し、開口部３３ａを通過して、表示パネル１の法線方向（角度０°方向）に光Ｌ３として出射する。
【０１５２】
表示パネル１は、この光Ｌ３によって表示パネル１の法線方向（角度０°方向）の黒輝度が上昇し、２つの画像間のクロストークを低減することができる。
【０１５３】
また、画素Ｖｐｉｘ（Ｒ）と画素Ｖｐｉｘ（Ｂ２）とにまたがる領域Ｒ１４内の液晶６は、領域Ｒ１４内に画素電極が無く電界が無いか又は非常に微弱であるので、バックライト１０１から領域Ｒ１４に入射する光Ｌ４の大部分を遮光する。しかし、領域Ｒ１４内の液晶６は、バックライト１０１から領域Ｒ１４に入射する光Ｌ４の一部を通過させる。更に、領域Ｒ１４の上層の領域Ｒ１５には、カラーフィルタ３２Ｒ及び３２Ｂ２が形成されていない。そのため、バックライト１０１から画素Ｖｐｉｘ（Ｒ）と画素Ｖｐｉｘ（Ｂ２）との境界部の領域Ｒ１４に入射した光Ｌ４の一部は、領域Ｒ１４を透過し、領域Ｒ１５を通過し、開口部３３ａを通過して、表示パネル１の角度９０°方向に光Ｌ５として出射する。
【０１５４】
表示パネル１は、この光Ｌ５によって表示パネル１の角度９０°方向の黒輝度が上昇し、２つの画像間のクロストークを低減することができる。
【０１５５】
また、画素Ｖｐｉｘ（Ｇ）と画素Ｖｐｉｘ（Ｂ１）とにまたがる領域Ｒ１２内の液晶６は、領域Ｒ１２内に画素電極が無く電界が無いか又は非常に微弱であるので、バックライト１０１から領域Ｒ１２に入射する光Ｌ６の大部分を遮光する。しかし、領域Ｒ１２内の液晶６は、バックライト１０１から領域Ｒ１２に入射する光Ｌ６の一部を通過させる。更に、領域Ｒ１２の上層の領域Ｒ１３には、カラーフィルタ３２Ｇ及び３２Ｂ１が形成されていない。そのため、バックライト１０１から画素Ｖｐｉｘ（Ｇ）と画素Ｖｐｉｘ（Ｂ１）との境界部の領域Ｒ１２に入射した光Ｌ６の一部は、領域Ｒ１２を透過し、領域Ｒ１３を通過し、開口部３３ａを通過して、表示パネル１の角度−９０°方向に光Ｌ７として出射する。
【０１５６】
表示パネル１は、この光Ｌ７によって表示パネル１の角度−９０°方向の黒輝度が上昇し、２つの画像間のクロストークを低減することができる。
【０１５７】
変形例に係る表示パネル１によれば、領域Ｒ１１にはカラーフィルタ３２Ｒ及び３２Ｇが形成されていないので、表示パネル１の法線方向（角度０°方向）に出射する光Ｌ３の光量を増加させることができる。また、領域Ｒ１５にはカラーフィルタ３２Ｒ及び３２Ｂ２が形成されていないので、表示パネル１の角度９０°方向に出射する光Ｌ５の光量を増加させることができる。また、領域Ｒ１３にはカラーフィルタ３２Ｇ及び３２Ｂ１が形成されていないので、表示パネル１の角度−９０°方向に出射する光Ｌ７の光量を増加させることができる。これにより、表示パネル１は、黒輝度を更に上昇させることができ、２つの画像間のクロストークを低減させることができる。変形例は、回折光量が多い場合に特に有効である。
【０１５８】
また、領域Ｒ１１にカラーフィルタ３２Ｒ及び３２Ｇが形成されていないので、光Ｌ３は赤（Ｒ）成分及び緑（Ｇ）成分が少ない。また、領域Ｒ１５にカラーフィルタ３２Ｒ及び３２Ｂ２が形成されていないので、光Ｌ５は赤（Ｒ）成分及び青（Ｂ）成分が少ない。また、領域Ｒ１３にカラーフィルタ３２Ｇ及び３２Ｂ１が形成されていないので、光Ｌ７は緑（Ｇ）成分及び青（Ｂ）成分が少ない。そのため、表示パネル１は、色再現性を向上することができ、コントラストの低下を抑制することができる。なお、図２５では、領域Ｒ１１の全域にカラーフィルタ３２Ｒ及び３２Ｇが形成されていないこととしたが、領域Ｒ４の少なくとも一部にカラーフィルタ３２Ｒ及び３２Ｇが形成されていないこととしても良い。同様に、図２５では、領域Ｒ１５の全域にカラーフィルタ３２Ｒ及び３２Ｂ２が形成されていないこととしたが、領域Ｒ１５の少なくとも一部にカラーフィルタ３２Ｒ及び３２Ｂ２が形成されていないこととしても良い。同様に、図２５では、領域Ｒ１３の全域にカラーフィルタ３２Ｇ及び３２Ｂ１が形成されていないこととしたが、領域Ｒ１３の少なくとも一部にカラーフィルタ３２Ｇ及び３２Ｂ１が形成されていないこととしても良い。
【０１５９】
なお、先に式（４）で説明したように、クロストークは１以下であることが好ましい。すなわち、黒輝度を回折光以上に上昇させれば、望ましいクロストークになり、広角側のクロストークが改善される。なお、過度に黒輝度を上昇させると、アイポイント（観察者２１１及び２１２の目の位置）でのコントラストが低下することになるので、黒輝度を回折光と同程度に上昇させること、つまりクロストークを１程度とすることが好ましい。
【０１６０】
＜２．適用例＞
次に、図２６〜図３８を参照して、実施形態で説明した表示装置の適用例について説明する。図２６〜図３８は、本実施形態に係る表示装置を適用する電子機器の一例を示す図である。本実施形態に係る表示装置１００は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１００は、外部から入力された映像信号或いは内部で生成した映像信号を、画像或いは映像として表示するあらゆる分野の電子機器に適用することが可能である。電子機器は、表示装置に映像信号を供給し、表示装置の動作を制御する制御装置を備える。
【０１６１】
（適用例１）
図２６に示す電子機器は、本実施形態に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置である。
【０１６２】
（適用例２）
図２７及び図２８に示す電子機器は、本実施形態に係る表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置である。図２７に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【０１６３】
（適用例３）
図２９に示す電子機器は、本実施形態に係る表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置である。
【０１６４】
（適用例４）
図３０に示す電子機器は、本実施形態に係る表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置により構成されている。
【０１６５】
（適用例５）
図３１〜図３７に示す電子機器は、本実施形態に係る表示装置１が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態に係る表示装置により構成されている。
【０１６６】
（適用例６）
図３８に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置である。
【０１６７】
また、本開示は、以下の構成をとることもできる。
＜３．本開示の構成＞
【０１６８】
（１）
第１の方向に第１の画像を表示し、前記第１の方向と異なる第２の方向に第２の画像を表示する表示装置であって、
複数の画素がマトリクス状に配列された表示パネルと、
前記表示パネルの裏面に光を照射するバックライトと、
前記表示パネルの任意の画素を第１の画素とし、前記第１の画素及び前記第１の画素に隣接する第２の画素の前面に遮光材料で形成され、前記第１の画素と前記第２の画素との境界部に遮光材料が形成されていない開口部が設けられ、前記第１の画素からの光を前記開口部を通過させて前記第１の方向に出射するとともに、前記第２の画素からの光を前記開口部を通過させて前記第２の方向に出射する視差バリアと、
を備え、
前記バックライトから出射され前記第１の画素と前記第２の画素との境界部に入射した光の少なくとも一部が前記開口部を通過し、前記バックライトから出射され前記第１の画素と前記第１の画素に前記第２の画素と反対側に隣接する第３の画素との境界部に入射した光の少なくとも一部が前記開口部を通過し、前記バックライトから出射され前記第２の画素と前記第２の画素に前記第１の画素と反対側に隣接する第４の画素との境界部に入射した光の少なくとも一部が前記開口部を通過することにより、前記第１の画像及び前記第２の画像を黒色の画像としたときの前記第１の画像の輝度を上昇させて、下記関係式（１）を満たす、
表示装置。
（Ｂ−Ａ）／Ａ≦１  ・・・式（１）
ただし、
Ａ：前記第１の画像及び前記第２の画像を黒色の画像としたときの前記第１の画像の輝度
Ｂ：前記第１の画像を黒色の画像とし、前記第２の画像を白色の画像としたときの、前記第１の画像の輝度
【０１６９】
（２）
前記第１の画素及び前記第２の画素と前記視差バリアとの間の層に前記第１の画素及び前記第２の画素にまたがるように遮光材料で形成された第１のブラックマトリクスと、
前記第１の画素及び前記第３の画素と前記視差バリアとの間の層に前記第１の画素及び前記第３の画素にまたがるように遮光材料で形成された第２のブラックマトリクスと、
前記第２の画素及び前記第４の画素と前記視差バリアとの間の層に前記第２の画素及び前記第４の画素にまたがるように遮光材料で形成された第３のブラックマトリクスと、
を備え、
前記第１のブラックマトリクスは、遮光材料が形成されていない開口部であって、前記バックライトから出射され前記第１の画素と前記第２の画素との境界部に入射した光の少なくとも一部を通過させる第２の開口部が設けられ、
前記第２のブラックマトリクスは、遮光材料が形成されていない開口部であって、前記バックライトから出射され前記第１の画素と前記第３の画素との境界部に入射した光の少なくとも一部を通過させる第３の開口部が設けられ、
前記第３のブラックマトリクスは、遮光材料が形成されていない開口部であって、前記バックライトから出射され前記第２の画素と前記第４の画素との境界部に入射した光の少なくとも一部を通過させる第４の開口部が設けられている、
前記（１）に記載の表示装置。
【０１７０】
（３）
前記第２の開口部は、前記第１の画素及び前記第２の画素の辺方向に沿って複数設けられており、
前記第３の開口部は、前記第１の画素及び前記第３の画素の辺方向に沿って複数設けられており、
前記第４の開口部は、前記第２の画素及び前記第４の画素の辺方向に沿って複数設けられている、
前記（２）に記載の表示装置。
【０１７１】
（４）
前記第１の画素及び前記第２の画素と前記視差バリアとの間の層に前記第１の画素及び前記第２の画素にまたがるように形成された第１のブラックマトリクスと、
前記第１の画素及び前記第１の画素に前記第２の画素と反対側に隣接する第３の画素と前記視差バリアとの間の層に前記第１の画素及び前記第３の画素にまたがるように形成された第２のブラックマトリクスと、
前記第２の画素及び前記第２の画素に前記第１の画素と反対側に隣接する第４の画素と前記視差バリアとの間の層に前記第２の画素及び前記第４の画素にまたがるように形成された第３のブラックマトリクスと、
を備え、
前記第１のブラックマトリクスは、前記バックライトから出射され前記第１の画素と前記第２の画素との境界部に入射した光の一部を通過させる材料で形成されており、
前記第２のブラックマトリクスは、前記バックライトから出射され前記第１の画素と前記第３の画素との境界部に入射した光の一部を通過させる材料で形成されており、
前記第３のブラックマトリクスは、前記バックライトから出射され前記第２の画素と前記第４の画素との境界部に入射した光の一部を通過させる材料で形成されている、
前記（１）に記載の表示装置。
【０１７２】
（５）
前記第１の画素及び前記第２の画素は、前記第１の画素と前記第２の画素との境界部の少なくとも一部にカラーフィルタが形成されておらず、
前記第１の画素及び前記第３の画素は、前記第１の画素と前記第３の画素との境界部の少なくとも一部にカラーフィルタが形成されておらず、
前記第２の画素及び前記第４の画素は、前記第２の画素と前記第４の画素との境界部の少なくとも一部にカラーフィルタが形成されていない、
前記（２）から前記（４）のいずれか１つに記載の表示装置。
【０１７３】
（６）
前記表示パネルは、電圧が印加されていないときに黒色を表示するノーマリーブラック液晶表示パネルである、前記（１）に記載の表示装置。
【０１７４】
（７）
前記第１の画素及び前記第２の画素は、前記第１の画素と前記第２の画素との境界部の少なくとも一部にカラーフィルタが形成されておらず、
前記第１の画素及び前記第３の画素は、前記第１の画素と前記第３の画素との境界部の少なくとも一部にカラーフィルタが形成されておらず、
前記第２の画素及び前記第４の画素は、前記第２の画素と前記第４の画素との境界部の少なくとも一部にカラーフィルタが形成されていない、
前記（６）に記載の表示装置。
【０１７５】
（８）
前記（１）から前記（７）のいずれか１つに記載の表示装置と、前記表示装置に入力信号を供給する制御装置と、を有する電子機器。
【符号の説明】
【０１７６】
１  表示パネル
２  ＴＦＴ基板
３  対向基板
６  液晶
３１  ガラス基板
３２  カラーフィルタ
３３  視差バリア
２１  表示エリア部
２２  垂直ドライバ
２３  水平ドライバ
２４  走査線
２５  信号線
２７  画素電極
７６ａ  ブラックマトリクス
１００  表示装置
２０１  第１の画像
２０２  第２の画像
Ｖｐｉｘ  画素
【図１】
2014190995.tif 000003
【図２】
2014190995.tif 000004
【図３】
2014190995.tif 000005
【図４】
2014190995.tif 000006
【図５】
2014190995.tif 000007
【図６】
2014190995.tif 000008
【図７】
2014190995.tif 000009
【図８】
2014190995.tif 000010
【図９】
2014190995.tif 000011
【図１０】
2014190995.tif 000012
【図１１】
2014190995.tif 000013
【図１２】
2014190995.tif 000014
【図１３】
2014190995.tif 000015
【図１４】
2014190995.tif 000016
【図１５】
2014190995.tif 000017
【図１６】
2014190995.tif 000018
【図１７】
2014190995.tif 000019
【図１８】
2014190995.tif 000020
【図１９】
2014190995.tif 000021
【図２０】
2014190995.tif 000022
【図２１】
2014190995.tif 000023
【図２２】
2014190995.tif 000024
【図２３】
2014190995.tif 000025
【図２４】
2014190995.tif 000026
【図２５】
2014190995.tif 000027
【図２６】
2014190995.tif 000028
【図２７】
2014190995.tif 000029
【図２８】
2014190995.tif 000030
【図２９】
2014190995.tif 000031
【図３０】
2014190995.tif 000032
【図３１】
2014190995.tif 000033
【図３２】
2014190995.tif 000034
【図３３】
2014190995.tif 000035
【図３４】
2014190995.tif 000036
【図３５】
2014190995.tif 000037
【図３６】
2014190995.tif 000038
【図３７】
2014190995.tif 000039
【図３８】
2014190995.tif 000040